(57)【要約】      （修正有）【課題】ヘテロジニアスなネットワーク構成において制御リソースをブランキングする。【解決手段】マクロセル、フェムトセル、あるいはピコセルであるｅＮＢのようなｅＮＢは、ダウンリンク制御ブランキング・メッセージをＵＥへ送信し、ＵＥに対して、ブランキングを実行すること、あるいは、干渉元ｅＮＢまたはデバイスからのブランキングを要求することを指示する。ダウンリンク制御ブランキング・メッセージは、制御リソースを決定するための情報、および／または、望まれる制御リソースを指定しうる。小規模ｅＮＢのための制御リソース干渉緩和のために、動的な制御ブランキングが提供される。小規模ｅＮＢは、制御リソースによって、制御データをＵＥへ通信しうる。制御データは、ＵＥに対しても同様に、干渉元ｅＮＢまたはデバイスからのデータ・リソースのブランキングの要求を指示するリソース・ブランキング・メッセージを含みうる。【選択図】図９
2014096827.tif 000002
【特許請求の範囲】
【請求項１】
方法であって、
制御リソースのセットをブランキングすることを求める制御ブランキング要求を、１または複数の干渉元デバイスへ送信することと、
前記制御リソースのセットによって、別のデバイスと制御情報を通信することと
を備える方法。
【請求項２】
利用可能なダウンリンク制御リソースから前記制御リソースのセットを選択することをさらに備え、
前記制御ブランキング要求を送信することは、前記制御ブランキング要求を備える制御ブランキング・メッセージを、前記１または複数の干渉元デバイスへ送信することを含む請求項１に記載の方法。
【請求項３】
ブランキングするためのアップリンク制御リソースのセットを指定する別の制御ブランキング要求を、前記制御リソースのセットで、前記１または複数の干渉元デバイスへ送信することをさらに備える請求項２に記載の方法。
【請求項４】
前記制御情報は、ブランキングするためのデータ・リソースのセットを指定するリソース・ブランキング要求を備えるダウンリンク・リソース・ブランキング・メッセージを含む請求項３に記載の方法。
【請求項５】
前記データ・リソースのセットで、前記別のデバイスへデータを通信することをさらに備える請求項４に記載の方法。
【請求項６】
前記制御情報は、前記別のデバイスのためのダウンリンク・リソース許可を含む請求項３に記載の方法。
【請求項７】
前記データ・リソースのセット、または、前記制御リソースのセットによって、品質に関連するフィードバックを受信するために、前記別のデバイスへパイロット信号を送信することをさらに備える請求項３に記載の方法。
【請求項８】
ブランキングするためのデータ・リソースのセットを指定するリソース・ブランキング要求を、前記１または複数の干渉元デバイスへ送信することをさらに備える請求項２に記載の方法。
【請求項９】
前記データ・リソースのセットで、前記別のデバイスとデータを通信することをさらに備える請求項８に記載の方法。
【請求項１０】
前記別のデバイスにアップリンク許可を送信することをさらに備える請求項２に記載の方法。
【請求項１１】
前記制御ブランキング・メッセージはさらに、前記制御リソースのセットのチャネル化に関連するキーを含む請求項２に記載の方法。
【請求項１２】
前記キーをパイロット識別子およびシステム時間から生成することをさらに備える請求項１１に記載の方法。
【請求項１３】
パイロット・インジケータ信号を受信することと、
パイロット信号に少なくとも部分的に基づいて、前記１または複数の干渉元デバイスが、前記制御リソースのセットによる送信をブランキングしたかを判定することと
をさらに備える請求項２に記載の方法。
【請求項１４】
前記制御ブランキング・メッセージが、低再使用制御チャネルで送信される請求項２に記載の方法。
【請求項１５】
データ・リソースのセットをブランキングする要求を含むリソース・ブランキング・メッセージを、前記低再使用制御チャネルで送信することをさらに備える請求項１４に記載の方法。
【請求項１６】
ダウンリンク・リソースに対応する前記制御リソースのセットをブランキングすることを要求するダウンリンク制御ブランキング・メッセージを受信することと、
前記制御リソースのセットに少なくとも部分的に基づいて前記制御ブランキング要求を生成することと
をさらに備える請求項１に記載の方法。
【請求項１７】
データ・リソースのセットをブランキングすることを要求するダウンリンク・リソース・ブランキング・メッセージを、前記制御リソースのセットで受信することをさらに備える請求項１６に記載の方法。
【請求項１８】
前記データ・リソースのセットに対するアップリンク・データ・リソース・ブランキング要求を生成することと、
前記アップリンク・データ・リソース・ブランキング要求を、前記１または複数の干渉元デバイスへ送信することと
をさらに備える請求項１７に記載の方法。
【請求項１９】
前記データ・リソースのセットで通信することをさらに備える請求項１８に記載の方法。
【請求項２０】
前記ダウンリンク制御ブランキング・メッセージは、低再使用制御チャネルで受信される請求項１６に記載の方法。
【請求項２１】
前記ダウンリンク制御ブランキング・メッセージは、前記制御リソースのセットのチャネル化を定義するキーを備える請求項１６に記載の方法。
【請求項２２】
前記キーは、前記ダウンリンク制御ブランキング・メッセージを送信するデバイスのパイロット識別子とシステム時間とに対応する請求項２１に記載の方法。
【請求項２３】
前記ダウンリンク制御ブランキング・メッセージは、前記１または複数の干渉元デバイスを示す請求項１６に記載の方法。
【請求項２４】
データ・リソースのセットをブランキングするためのリソース・ブランキング要求を、前記制御ブランキング要求とともに、前記１または複数の干渉元デバイスへ送信することと、
前記データ・リソースのセットで、前記別のデバイスと通信することと
をさらに備える請求項１に記載の方法。
【請求項２５】
前記制御ブランキング要求は、ユニキャスト送信、ブロードキャスト送信、またはマルチキャスト送信として送信される請求項１に記載の方法。
【請求項２６】
無線通信装置であって、
制御リソースのセットをブランキングすることを求める制御ブランキング要求を、１または複数の干渉元デバイスへ送り、前記制御リソースのセットによって、制御情報を別のデバイスへ送信するように構成された少なくとも１つのプロセッサと、
前記少なくとも１つのプロセッサに接続されたメモリと
を備える無線通信装置。
【請求項２７】
前記少なくとも１つのプロセッサはさらに、ダウンリンク・リソースのセットから前記制御リソースのセットを決定するように構成され、
前記少なくとも１つのプロセッサは、前記制御ブランキング要求を、制御ブランキング・メッセージの一部として、前記１または複数の干渉元デバイスへ送信するように構成された請求項２６に記載の無線通信装置。
【請求項２８】
前記少なくとも１つのプロセッサはさらに、ブランキングするためのアップリンク制御リソースのセットを示す別の制御ブランキング要求を、前記制御リソースのセットで、前記１または複数の干渉元デバイスへ送信するように構成された請求項２７に記載の無線通信装置。
【請求項２９】
前記制御情報は、ブランキングするためのデータ・リソースのセットを示すリソース・ブランキング要求を備えるダウンリンク・リソース・ブランキング・メッセージを含む請求項２８に記載の無線通信装置。
【請求項３０】
前記少なくとも１つのプロセッサはさらに、前記データ・リソースのセットで、前記別のデバイスへデータを通信するように構成された請求項２９に記載の無線通信装置。
【請求項３１】
前記制御情報は、前記別のデバイスのためのダウンリンク・リソース許可を含む請求項２８に記載の無線通信装置。
【請求項３２】
前記少なくとも１つのプロセッサはさらに、ブランキングするためのデータ・リソースのセットを指定するリソース・ブランキング要求を、前記１または複数の干渉元デバイスへ送信するように構成された請求項２７に記載の無線通信装置。
【請求項３３】
前記少なくとも１つのプロセッサはさらに、前記データ・リソースのセットで、前記別のデバイスへデータを通信するように構成された請求項３２に記載の無線通信装置。
【請求項３４】
前記少なくとも１つのプロセッサはさらに、ブランキングするためのデータ・リソースのセットを指定するリソース・ブランキング要求を、前記１または複数の干渉元デバイスへ通信するように構成された請求項２７に記載の無線通信装置。
【請求項３５】
前記少なくとも１つのプロセッサはさらに、前記データ・リソースのセットで、前記別のデバイスと通信するように構成された請求項３４に記載の無線通信装置。
【請求項３６】
前記少なくとも１つのプロセッサはさらに、前記別のデバイスにアップリンク許可を送信するように構成された請求項２７に記載の無線通信装置。
【請求項３７】
前記制御ブランキング・メッセージはさらに、前記制御リソースのセットのチャネル化に関連するキーを含む請求項２７に記載の無線通信装置。
【請求項３８】
前記少なくとも１つのプロセッサは、前記制御ブランキング・メッセージを、低再使用制御チャネルで送信する請求項２７に記載の無線通信装置。
【請求項３９】
前記少なくとも１つのプロセッサはさらに、ダウンリンク・リソースに対応する前記制御リソースのセットをブランキングすることを要求するダウンリンク制御ブランキング・メッセージを受信し、前記制御リソースのセットに少なくとも部分的に基づいて前記制御ブランキング要求を生成するように構成された請求項２６に記載の無線通信装置。
【請求項４０】
前記少なくとも１つのプロセッサはさらに、データ・リソースのセットをブランキングすることを要求するダウンリンク・リソース・ブランキング・メッセージを、前記制御リソースのセットで受信するように構成された請求項３９に記載の無線通信装置。
【請求項４１】
前記少なくとも１つのプロセッサはさらに、前記データ・リソースのセットに対するアップリンク・データ・リソース・ブランキング要求を生成し、前記アップリンク・データ・リソース・ブランキング要求を、前記１または複数の干渉元デバイスへ送信するように構成された請求項４０に記載の無線通信装置。
【請求項４２】
前記少なくとも１つのプロセッサはさらに、前記データ・リソースのセットで通信するように構成された請求項４１に記載の無線通信装置。
【請求項４３】
前記少なくとも１つのプロセッサはさらに、データ・リソースのセットをブランキングするためのリソース・ブランキング要求を、前記制御ブランキング要求とともに、前記１または複数の干渉元デバイスへ送信し、前記データ・リソースのセットで、前記別のデバイスと通信するように構成された請求項２６に記載の無線通信装置。
【請求項４４】
装置であって、
制御リソースのセットをブランキングすることを求める制御ブランキング要求を、１または複数の干渉元デバイスへ送る手段と、
前記制御リソースのセットによって、制御情報を別のデバイスへ通信する手段と
を備える装置。
【請求項４５】
前記制御ブランキング要求を送信する手段は、ダウンリンク制御リソースから前記制御リソースのセットを選択し、前記制御ブランキング要求を、制御ブランキング・メッセージで、前記１または複数の干渉元デバイスへ送信する請求項４４に記載の装置。
【請求項４６】
前記制御ブランキング要求を送信する手段は、ブランキングするためのアップリンク制御リソースのセットを指定する別の制御ブランキング要求を、前記１または複数の干渉元デバイスへ送信する請求項４５に記載の装置。
【請求項４７】
前記制御情報は、ブランキングするためのデータ・リソースのセットを指定するリソース・ブランキング要求を備えるダウンリンク・リソース・ブランキング・メッセージを含む請求項４６に記載の装置。
【請求項４８】
前記データ・リソースのセットで、前記別のデバイスへデータを通信する手段をさらに備える請求項４７に記載の装置。
【請求項４９】
前記制御情報を通信する手段は、前記データ・リソースのセット、または、前記制御リソースのセットに関連するフィードバックを受信するために、前記別のデバイスへパイロット信号を送信する請求項４７に記載の装置。
【請求項５０】
前記制御情報は、前記別のデバイスのためのダウンリンク・リソース許可を含む請求項４６に記載の装置。
【請求項５１】
ブランキングするためのデータ・リソースのセットを指定するリソース・ブランキング要求を、前記１または複数の干渉元デバイスへ送信する手段をさらに備える請求項４５に記載の装置。
【請求項５２】
前記データ・リソースのセットで、前記別のデバイスとデータを通信することをさらに備える請求項５１に記載の装置。
【請求項５３】
前記制御情報は、前記別のデバイスのためのアップリンク許可を含む請求項４５に記載の装置。
【請求項５４】
前記制御ブランキング・メッセージはさらに、ホッピング・パターンのような制御リソースのセットのチャネル化に関連するキーを含む請求項４５に記載の装置。
【請求項５５】
前記キーをパイロット識別子およびシステム時間から生成する手段をさらに備える請求項５４に記載の装置。
【請求項５６】
前記制御ブランキング・メッセージが、低再使用制御チャネルで送信される請求項４５に記載の装置。
【請求項５７】
ダウンリンク・リソースに対応する前記制御リソースのセットをブランキングすることを要求するダウンリンク制御ブランキング・メッセージを受信する手段をさらに備え、
前記制御ブランキング要求を送る手段はさらに、前記制御リソースのセットに少なくとも部分的に基づいて前記制御ブランキング要求を生成する請求項４４に記載の装置。
【請求項５８】
データ・リソースのセットをブランキングすることを要求するダウンリンク・リソース・ブランキング・メッセージを、前記制御リソースのセットで受信する手段をさらに備える請求項５７に記載の装置。
【請求項５９】
前記データ・リソースのセットに対するアップリンク・データ・リソース・ブランキング要求を生成し、前記アップリンク・データ・リソース・ブランキング要求を、前記１または複数の干渉元デバイスへ送信する手段をさらに備える請求項５８に記載の装置。
【請求項６０】
前記データ・リソースのセットで通信する手段をさらに備える請求項５９に記載の装置。
【請求項６１】
前記ダウンリンク制御ブランキング・メッセージは、低再使用制御チャネルで受信される請求項５７に記載の装置。
【請求項６２】
前記ダウンリンク制御ブランキング・メッセージは、ホッピング・パターンのような前記制御リソースのセットのチャネル化を定義するキーを備える請求項５７に記載の装置。
【請求項６３】
前記キーは、前記ダウンリンク制御ブランキング・メッセージを送信するデバイスのパイロット識別子とシステム時間とに対応する請求項６２に記載の装置。
【請求項６４】
前記ダウンリンク制御ブランキング・メッセージは、前記１または複数の干渉元デバイスを示す請求項５７に記載の装置。
【請求項６５】
前記制御ブランキング要求を送る手段は、データ・リソースのセットをブランキングするためのリソース・ブランキング要求を、前記制御ブランキング要求とともに、前記１または複数の干渉元デバイスへ送信することを含む請求項４４に記載の装置。
【請求項６６】
前記制御ブランキング要求は、ユニキャスト送信、ブロードキャスト送信、またはマルチキャスト送信として送信される請求項４４に記載の装置。
【請求項６７】
コンピュータ読取可能媒体を備えるコンピュータ・プログラム製品であって、
前記コンピュータ読取可能媒体は、
少なくとも１つのコンピュータに対して、制御リソースのセットをブランキングすることを求める制御ブランキング要求を、１または複数の干渉元デバイスへ送信させるためのコードと、
前記少なくとも１つのコンピュータに対して、前記制御リソースのセットで別のデバイスと制御情報を通信させるためのコードと
を備えるコンピュータ・プログラム製品。
【請求項６８】
前記コンピュータ読取可能媒体はさらに、前記少なくとも１つのコンピュータに対して、利用可能なダウンリンク制御リソースから前記制御リソースのセットを選択させるためのコードをさらに備え、
前記制御ブランキング要求を送信することは、前記制御ブランキング要求を備える制御ブランキング・メッセージを、前記１または複数の干渉元デバイスへ送信することを含む請求項６７に記載のコンピュータ・プログラム製品。
【請求項６９】
前記コンピュータ読取可能媒体はさらに、前記少なくとも１つのコンピュータに対して、ブランキングするためのアップリンク制御リソースのセットを指定する別の制御ブランキング要求を、前記制御リソースのセットで、前記１または複数の干渉元デバイスへ送信させるためのコードを備える請求項６８に記載のコンピュータ・プログラム製品。
【請求項７０】
前記制御情報は、ブランキングするためのデータ・リソースのセットを指定するリソース・ブランキング要求を備えるダウンリンク・リソース・ブランキング・メッセージを含む請求項６９に記載のコンピュータ・プログラム製品。
【請求項７１】
前記コンピュータ読取可能媒体はさらに、前記少なくとも１つのコンピュータに対して、前記データ・リソースのセットで、前記別のデバイスへデータを通信させるためのコードをさらに備える請求項７０に記載のコンピュータ・プログラム製品。
【請求項７２】
前記制御情報は、前記別のデバイスのためのダウンリンク・リソース許可を含む請求項６９に記載のコンピュータ・プログラム製品。
【請求項７３】
前記コンピュータ読取可能媒体はさらに、前記少なくとも１つのコンピュータに対して、ブランキングするためのデータ・リソースのセットを指定するリソース・ブランキング要求を、前記１または複数の干渉元デバイスへ送信させるためのコードを備える請求項６８に記載のコンピュータ・プログラム製品。
【請求項７４】
前記コンピュータ読取可能媒体はさらに、前記少なくとも１つのコンピュータに対して、前記データ・リソースのセットで、前記別のデバイスとデータを通信させるためのコードをさらに備える請求項７３に記載のコンピュータ・プログラム製品。
【請求項７５】
前記コンピュータ読取可能媒体はさらに、前記少なくとも１つのコンピュータに対して、前記別のデバイスにアップリンク許可を送信させるためのコードを備える請求項６８に記載のコンピュータ・プログラム製品。
【請求項７６】
前記制御ブランキング・メッセージはさらに、前記制御リソースのセットのチャネル化に関連するキーを含む請求項６８に記載のコンピュータ・プログラム製品。
【請求項７７】
前記コンピュータ読取可能媒体はさらに、
前記少なくとも１つのコンピュータに対して、ダウンリンク・リソースに対応する前記制御リソースのセットをブランキングすることを要求するダウンリンク制御ブランキング・メッセージを受信させるためのコードと、
前記少なくとも１つのコンピュータに対して、前記制御リソースのセットに少なくとも部分的に基づいて前記制御ブランキング要求を生成させるためのコードと
を備える請求項６８に記載のコンピュータ・プログラム製品。
【請求項７８】
前記コンピュータ読取可能媒体はさらに、前記少なくとも１つのコンピュータに対して、データ・リソースのセットをブランキングすることを要求するダウンリンク・リソース・ブランキング・メッセージを、前記制御リソースのセットで受信させるためのコードをさらに備える請求項７７に記載のコンピュータ・プログラム製品。
【請求項７９】
前記コンピュータ読取可能媒体はさらに、
前記少なくとも１つのコンピュータに対して、前記データ・リソースのセットに対するアップリンク・データ・リソース・ブランキング要求を生成させるためのコードと、
前記少なくとも１つのコンピュータに対して、前記アップリンク・データ・リソース・ブランキング要求を、前記１または複数の干渉元デバイスへ送信させるためのコードと
を備える請求項７８に記載のコンピュータ・プログラム製品。
【請求項８０】
前記コンピュータ読取可能媒体はさらに、前記少なくとも１つのコンピュータに対して、前記データ・リソースのセットで通信させるためのコードを備える請求項７９に記載のコンピュータ・プログラム製品。
【請求項８１】
前記ダウンリンク制御ブランキング・メッセージは、前記１または複数の干渉元デバイスを示す請求項７７に記載のコンピュータ・プログラム製品。
【請求項８２】
前記コンピュータ読取可能媒体はさらに、
前記少なくとも１つのコンピュータに対して、データ・リソースのセットをブランキングするためのリソース・ブランキング要求を、前記制御ブランキング要求とともに、前記１または複数の干渉元デバイスへ送信させるためのコードと、
前記少なくとも１つのコンピュータに対して、前記データ・リソースのセットで、前記別のデバイスと通信させるためのコードと
を備える請求項６７に記載のコンピュータ・プログラム製品。
【請求項８３】
装置であって、
制御リソースのセットをブランキングすることを求める制御ブランキング要求を、１または複数の干渉元デバイスへ送信する制御ブランキング要求構成要素と、
前記制御リソースのセットで、別のデバイスとの間で制御情報の送信または受信を行う制御通信構成要素と
を備える装置。
【請求項８４】
前記制御ブランキング要求構成要素は、ダウンリンク制御リソースのセットから前記制御リソースのセットを選択し、前記制御ブランキング要求を、制御ブランキング・メッセージで、前記１または複数の干渉元デバイスへ送る制御ブランキング・メッセージ構成要素である請求項８３に記載の装置。
【請求項８５】
前記制御ブランキング・メッセージ構成要素は、ブランキングするためのアップリンク制御リソースのセットを指定する別の制御ブランキング要求を、前記１または複数の干渉元デバイスへ送信する請求項８４に記載の装置。
【請求項８６】
前記制御情報は、ブランキングするためのデータ・リソースのセットを指定するリソース・ブランキング要求を備えるダウンリンク・リソース・ブランキング・メッセージを含む請求項８５に記載の装置。
【請求項８７】
前記データ・リソースのセットで、前記別のデバイスとの間でデータの送信または受信を行うデータ通信構成要素をさらに備える請求項８６に記載の装置。
【請求項８８】
前記制御情報は、前記別のデバイスのためのダウンリンク・リソース許可を含む請求項８５に記載の装置。
【請求項８９】
ブランキングするためのデータ・リソースのセットを指定するリソース・ブランキング要求を、前記１または複数の干渉元デバイスへ送信するリソース・ブランキング・メッセージ構成要素をさらに備える請求項８４に記載の装置。
【請求項９０】
前記データ・リソースのセットで、前記別のデバイスとデータを送信または受信するデータ通信構成要素をさらに備える請求項８９に記載の装置。
【請求項９１】
前記制御情報は、前記別のデバイスのためのアップリンク・リソース許可を含む請求項８４に記載の装置。
【請求項９２】
前記制御ブランキング・メッセージはさらに、ホッピング・パターンのような制御リソースのセットのチャネル化に関連するキーを含む請求項８４に記載の装置。
【請求項９３】
ダウンリンク・リソースに対応する前記制御リソースのセットをブランキングすることを要求するダウンリンク制御ブランキング・メッセージを取得するメッセージ受信構成要素をさらに備え、
前記制御ブランキング要求構成要素は、前記制御リソースのセットに少なくとも部分的に基づいて、前記制御ブランキング要求を生成する請求項８３に記載の装置。
【請求項９４】
前記メッセージ受信構成要素は、データ・リソースのセットのブランキングを要求するダウンリンク・リソース・ブランキング・メッセージを、前記制御リソースのセットで受信する請求項９３に記載の装置。
【請求項９５】
前記データ・リソースのセットのためのアップリンク・データ・リソース・ブランキング要求を生成し、前記アップリンク・データ・リソース・ブランキング要求を、前記１または複数の干渉元デバイスへ送信するリソース・ブランキング・メッセージ構成要素をさらに備える請求項９４に記載の装置。
【請求項９６】
前記データ・リソースのセットでデータを送信または受信するデータ通信構成要素をさらに備える請求項９５に記載の装置。
【請求項９７】
前記ダウンリンク制御ブランキング・メッセージは、前記１または複数の干渉元デバイスを示す請求項９３に記載の装置。
【請求項９８】
前記制御ブランキング要求構成要素は、データ・リソースのセットをブランキングするためのリソース・ブランキング要求を、前記制御ブランキング要求とともに、前記１または複数の干渉元デバイスへ送信する請求項８３に記載の装置。
【請求項９９】
方法であって、
制御リソースのセットをブランキングすることを求めるダウンリンク制御ブランキング要求を受信することと、
アップリンク制御リソースである前記制御リソースのセットのうちの少なくとも一部をローカルにブランキングすること
を備える方法。
【請求項１００】
データ・リソースのセットをブランキングすることを要求するダウンリンク・リソース・ブランキング・メッセージを受信することをさらに備える請求項９９に記載の方法。
【請求項１０１】
前記ダウンリンク制御ブランキング要求は、低再使用制御チャネルで受信される請求項９９に記載の方法。
【請求項１０２】
前記ダウンリンク制御ブランキング要求は、前記制御リソースのセットに関連するホッピング・パターンを定義するキーを備える請求項９９に記載の方法。
【請求項１０３】
前記キーは、前記ダウンリンク制御ブランキング要求を送信するデバイスのパイロット識別子およびシステム時間に対応する請求項１０２に記載の方法。
【請求項１０４】
無線通信装置であって、
１または複数の干渉元のデバイスまたはｅＮＢにおいて、１または複数の制御リソースをブランキングすることに関連する制御ブランキング要求を取得し、アップリンク制御リソースである前記１または複数の制御リソースをブランキングするように構成された少なくとも１つのプロセッサと、
前記少なくとも１つのプロセッサに接続されたメモリと
を備える無線通信装置。
【請求項１０５】
前記少なくとも１つのプロセッサはさらに、前記１または複数の干渉元デバイスまたはｅＮＢによるデータ・リソースのブランキングを要求することに関連するリソース・ブランキング・メッセージを取得するように構成された請求項１０４に記載の無線通信装置。
【請求項１０６】
前記少なくとも１つのプロセッサはさらに、前記データ・リソースによって前記制御ブランキング要求を送信するデバイスと通信するように構成された請求項１０５に記載の無線通信装置。
【請求項１０７】
装置であって、
ブランキングされるべき制御リソースのセットを示すダウンリンク制御ブランキング要求を受信する手段と、
アップリンク制御リソースである前記制御リソースのセットをローカルにブランキングする手段と
を備える装置。
【請求項１０８】
前記ダウンリンク制御ブランキング要求を受信する手段はさらに、ブランキングされるべきデータ・リソースのセットを示すリソース・ブランキング・メッセージを、前記制御リソースのセットによって受信する請求項１０７に記載の装置。
【請求項１０９】
前記ダウンリンク制御ブランキング要求を受信する手段はさらに、低再使用専用制御チャネルによって前記ダウンリンク制御ブランキング要求を受信する請求項１０７に記載の装置。
【請求項１１０】
コンピュータ読取可能媒体を備えるコンピュータ・プログラム製品であって、
前記コンピュータ読取可能媒体は、
少なくとも１つのコンピュータに対して、制御リソースのセットをブランキングすることを指定するダウンリンク制御ブランキング要求を受信させるためのコードと、
前記少なくとも１つのコンピュータに対して、アップリンク制御リソースである前記制御リソースのセットのうちの少なくとも一部をローカルにブランキングさせるためのコードと
を備えるコンピュータ・プログラム製品。
【請求項１１１】
前記コンピュータ読取可能媒体はさらに、前記少なくとも１つのコンピュータに対して、データ・リソースのセットをブランキングすることを要求するダウンリンク・リソース・ブランキング・メッセージを受信させるためのコードを備える請求項１１０に記載のコンピュータ・プログラム製品。
【請求項１１２】
前記ダウンリンク制御ブランキング要求は、低再使用制御チャネルで受信される請求項１１０に記載のコンピュータ・プログラム製品。
【請求項１１３】
前記ダウンリンク制御ブランキング要求は、前記制御リソースのセットに関連するホッピング・パターンを定義するキーを備える請求項１１０に記載のコンピュータ・プログラム製品。
【請求項１１４】
前記キーは、前記ダウンリンク制御ブランキング要求を送信するデバイスのパイロット識別子およびシステム時間に対応する請求項１１３に記載のコンピュータ・プログラム製品。
【請求項１１５】
装置であって、
ブランキングされるべき制御リソースのセットを示すダウンリンク制御ブランキング要求を取得するメッセージ受信構成要素と、
アップリンク制御リソースである前記制御リソースのセットをローカルにブランキングする制御ブランキング構成要素と
を備える装置。
【請求項１１６】
前記メッセージ受信構成要素はさらに、ブランキングされるべきデータ・リソースのセットを示すリソース・ブランキング・メッセージを、前記制御リソースのセットによって受信する請求項１１５に記載の装置。
【請求項１１７】
前記メッセージ受信構成要素はさらに、低再使用専用制御チャネルによって前記ダウンリンク制御ブランキング要求を受信する請求項１１５に記載の装置。
【発明の詳細な説明】
【優先権主張】
【０００１】
本特許出願は、２００８年６月２５日に出願され本願の譲受人に譲渡され本明細書において参照によって明確に組み込まれている“ＳＹＳＴＥＭＳ  ＡＮＤ  ＭＥＴＨＯＤＳ  ＦＯＲ  ＤＹＮＡＭＩＣ  ＣＯＮＴＲＯＬ  ＢＬＡＮＫＩＮＧ  ＩＮ  ＨＥＴＥＲＯＧＥＮＥＯＵＳ  ＮＥＴＷＯＲＫＳ”と題された仮出願６１／０７５，６４８号への優先権を主張する。
【技術分野】
【０００２】
以下の記載は、一般に無線通信に関し、さらに詳しくは、ヘテロジニアスなネットワーク構成において制御リソースをブランキングすることに関する。
【背景技術】
【０００３】
無線通信システムは、例えば、音声、データなどのようなさまざまなタイプの通信コンテンツを提供するために広く開発された。一般的な無線通信システムは、（例えば、帯域幅、送信電力などのような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムなどを含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
一般に、無線多元接続通信システムは、複数のユーザ機器（ＵＥ）のための通信を同時にサポートすることができる。ＵＥはそれぞれ、ダウンリンクおよびアップリンクにおける送信によって、１または複数のイボルブド・ノードＢ（ｅＮＢ）（例えば、基地局）と通信することができる。ダウンリンクは、ｅＮＢからＵＥへの通信リンクを称し、アップリンクは、ＵＥからｅＮＢへの通信リンクを称する。さらに、ＵＥとｅＮＢとの間の通信は、単一入力単一出力（ＳＩＳＯ）システム、複数入力単一出力（ＭＩＳＯ）システム、複数入力複数出力（ＭＩＭＯ）システム等によって確立されうる。さらに、ＵＥは、ピア・トゥ・ピア無線ネットワーク構成で他のＵＥと（および／または、ｅＮＢが他のｅＮＢと）通信しうる。
【０００５】
ヘテロジニアスなネットワーク構成では、例えばピコセルｅＮＢまたはフェムトセルｅＮＢのような小規模ｅＮＢが、（例えば、マクロセルｅＮＢのセクタ内の）１または複数のマクロセルｅＮＢの近傍内の無線ネットワーク・アクセスを提供しうる。これによって、マクロセルｅＮＢの送信中に通信しようとすると、小規模ｅＮＢへの実質的な干渉が引き起こる。さらに、マクロセルｅＮＢと通信するＵＥも同様に、小規模ｅＮＢへ干渉をもたらしうる。この点に関し、マクロセルｅＮＢおよび／または干渉元ＵＥへと、制御チャネルを介して、リソース・ブランキング・メッセージが送信され、データ・リソースのセットについて、マクロセルｅＮＢおよび／またはＵＥからのリソース・ブランキングが要求される。
【０００６】
リソース・ブランキングは、リソースのセットによる従来型の送信を控えることを称する。例えば、これは、リソース内の送信、またはリソースによる送信を送信機が停止させるハード・サイレンシング（hard silencing）を含みうる。しかしながら、これはまた、ビーム・ステアリングと組み合わされたソフト電力低減（例えば、干渉を受けているデバイスに向けて空間ヌルを形成すること）をも含みうる。したがって、マクロセルｅＮＢが、リソースをブランキングすると、小規模ｅＮＢが、このリソースによって通信し、マクロセルｅＮＢからの干渉無く、１または複数のデバイスへ無線ネットワーク・アクセスを提供しうる。しかしながら、リソース・ブランキング要求が送信される制御チャネルはまた、マクロセルｅＮＢ、ＵＥ、および小規模ｅＮＢによっても利用されうる。したがって、制御チャネルは、デバイスとｅＮＢとの間で同様の干渉を示し、リソース・ブランキング要求自身が干渉を受ける。
【発明の概要】
【０００７】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の態様およびその対応する開示によれば、デバイスとイボルブド・ノードＢ（ｅＮＢ）との間の干渉を回避するために、ヘテロジニアスな無線ネットワークにおいて、デバイスとｅＮＢとの間での動的な制御リソース割当を容易にすることに関連するさまざまな態様が記載される。特に、小規模ｅＮＢは、ダウンリンク制御ブランキング・メッセージを送信することによって、ユーザ機器（ＵＥ）に対して、マクロセルｅＮＢおよび／または干渉元ＵＥへと、制御リソース・ブランキング・メッセージを送信するように要求する。小規模ｅＮＢは、このメッセージがＵＥによって受信されることを保証するために、低再使用チャネル、ダイバーシティ・スキーム、あるいは同様の戦略を利用することができる。ＵＥは、このメッセージを受信すると、ブランキングを求める要求を生成し、この要求を干渉元のマクロセルｅＮＢおよび／またはＵＥへ送信する。マクロセルｅＮＢおよび／または干渉元ＵＥは、この要求を受信すると、示された制御リソースをブランキングする。これによって、小規模ｅＮＢは、ＵＥおよび／または１または複数の別のデバイスとの通信において、この制御リソースを利用できるようになる。したがって、例えば、小規模ｅＮＢは、データ・リソースに対するブランキング要求を、干渉無く制御チャネルで送信しうる。
【０００９】
関連する態様によれば、制御リソースのセットをブランキングすることを求める制御ブランキング要求を、１または複数の干渉元デバイスへ送信することを含む方法が提供される。この方法はさらに、この制御リソースのセットによって、別のデバイスと制御情報を通信することを含む。
【００１０】
別の態様は、無線通信装置に関する。この無線通信装置は、制御リソースのセットをブランキングすることを求める制御ブランキング要求を、１または複数の干渉元デバイスへ送り、この制御リソースのセットによって、制御情報を別のデバイスへ送信するように構成された少なくとも１つのプロセッサを含みうる。無線通信装置はまた、少なくとも１つのプロセッサに接続されたメモリをも備える。
【００１１】
また別の態様は、制御リソースのセットをブランキングすることを求める制御ブランキング要求を、１または複数の干渉元デバイスへ送る手段を含む装置に関連する。この装置はさらに、この制御リソースのセットによって、制御情報を別のデバイスへ送信する手段を含む。
【００１２】
また別の態様は、コンピュータ読取可能媒体を有するコンピュータ・プログラム製品に関する。このコンピュータ読取可能媒体は、少なくとも１つのコンピュータに対して、制御リソースのセットをブランキングすることを求める制御ブランキング要求を、１または複数の干渉元デバイスへ送信させるためのコードを含む。さらに、コンピュータ読取可能媒体は、少なくとも１つのコンピュータに対して、この制御リソースのセットで別のデバイスと制御情報を通信させるためのコードを含む。
【００１３】
さらに、さらなる態様は、装置に関する。この装置は、制御リソースのセットをブランキングすることを求める制御ブランキング要求を、１または複数の干渉元デバイスへ送信する制御ブランキング要求構成要素を含みうる。この装置はさらに、この制御リソースのセットで、別のデバイスとの間で制御情報の送信または受信を行う制御通信構成要素を含みうる。
【００１４】
他の態様によれば、制御リソースのセットをブランキングすることを求めるダウンリンク制御ブランキング要求を受信することを含む方法が提供される。この方法はまた、アップリンク制御リソースである制御リソースのセットのうちの少なくとも一部をローカルにブランキングすることを含む。
【００１５】
別の態様は、無線通信装置に関する。この無線通信装置は、１または複数の干渉元のデバイスまたはｅＮＢにおいて、１または複数の制御リソースをブランキングすることに関連する制御ブランキング要求を取得するように構成された少なくとも１つのプロセッサを含みうる。この少なくとも１つのプロセッサはさらに、アップリンク制御リソースである１または複数の制御リソースをブランキングするように構成されている。無線通信装置はまた、少なくとも１つのプロセッサに接続されたメモリをも備える。
【００１６】
また別の態様は、ブランキングされるべき制御リソースのセットを示すダウンリンク制御ブランキング要求を受信する手段を含む装置に関連する。この装置はさらに、アップリンク制御リソースである制御リソースのセットをローカルにブランキングする手段を含む。
【００１７】
また別の態様は、コンピュータ読取可能媒体を有するコンピュータ・プログラム製品に関する。このコンピュータ読取可能媒体は、少なくとも１つのコンピュータに対して、制御リソースのセットをブランキングすることを指定するダウンリンク制御ブランキング要求を受信させるためのコードを含む。さらに、このコンピュータ読取可能媒体は、少なくとも１つのコンピュータに対して、アップリンク制御リソースである制御リソースのセットのうちの少なくとも一部をローカルにブランキングさせるためのコードを備えうる。
【００１８】
さらに、さらなる態様は、装置に関する。この装置は、ブランキングされるべき制御リソースのセットを示すダウンリンク制御ブランキング要求を取得するメッセージ受信構成要素を含みうる。この装置はさらに、アップリンク制御リソースである制御リソースのセットをローカルにブランキングする制御ブランキング構成要素を含む。
【００１９】
前述した目的および関連する目的を達成するために、１または複数の実施形態は、後に十分に記載され、特許請求の範囲において特に指摘されている特徴を備える。次の記載および添付図面は、１または複数の態様のある例時的な特徴を詳細に記載する。しかしながら、これらの特徴は、さまざまな態様の原理が適用される種々の方式のうちのわずかを示しているに過ぎず、本記載は、そのようなすべての態様およびそれらの均等物を含むことが意図されている。
【図面の簡単な説明】
【００２０】
【図１】図１は、本明細書に記載されたさまざまな態様にしたがう無線通信システムの実例である。
【図２】図２は、本明細書に記載された態様にしたがう無線通信ネットワークの実例である。
【図３】図３は、無線通信環境において適用される通信装置の実例である。
【図４】図４は、制御リソースのブランキングを要求することを有効にする無線通信システムの実例である。
【図５】図５は、無線ネットワークにおいて、イボルブド・ノードＢ（ｅＮＢ）からブランキングを要求するためのメッセージ構成の実例である。
【図６】図６は、無線ネットワークにおいて、制御およびデータ・ブランキングを要求するためのメッセージ構成の実例である。
【図７】図７は、無線ネットワークにおいて、デバイスからのブランキングを要求するためのメッセージ構成の実例である。
【図８】図８は、無線ネットワークにおいて、デバイスからの制御およびデータ・ブランキングを要求するためのメッセージ構成の実例である。
【図９】図９は、受信した制御ブランキング・メッセージに基づいて、制御リソースのセットをブランキングすることを容易にする方法の実例である。
【図１０】図１０は、受信したブランキング・メッセージに基づいて、制御リソースおよびデータ・リソースのセットをブランキングすることを容易にする方法の実例である。
【図１１】図１１は、制御リソースをブランキングするために制御ブランキング・メッセージを送信することを容易にする方法の実例である。
【図１２】図１２は、制御リソースおよびデータ・リソースをブランキングするために制御およびデータ・ブランキング・メッセージを送信することを容易にする方法の実例である。
【図１３】図１３は、ｅＮＢのためにリソース・ブランキングを要求することを容易にするユーザ機器（ＵＥ）の実例である。
【図１４】図１４は、ＵＥを用いて、リソースのブランキングを要求するシステムの実例である。
【図１５】図１５は、本明細書で開示されたされたさまざまなシステムおよび方法と共に適用されうる無線ネットワーク環境の実例である。
【図１６】図１６は、制御および／またはデータ・リソース・ブランキングを要求するシステムの実例である。
【図１７】図１７は、制御リソース・ブランキングを要求することを促す制御ブランキング・メッセージを送信するシステムの実例である。
【発明を実施するための形態】
【００２１】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００２２】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。実行スレッドおよび／またはプロセス内には１または複数の構成要素が存在し、構成要素は、１または複数のコンピュータ上に局在化されるか、および／または、複数のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２３】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２４】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２５】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２６】
さまざまな態様または特徴が、多くのデバイス、構成要素、モジュールなどを含むシステムの観点から示されるだろう。さまざまなシステムが、追加のデバイス、構成要素、モジュールなどを含むことができるか、および／または、図面に関連して説明されたデバイス、構成要素、モジュールなどの必ずしも全てを含んでいる訳ではないことが理解され、認識されるべきである。これらアプローチの組み合わせもまた使用されうる。
【００２７】
図１に示すように、本明細書に記載されたさまざまな実施形態にしたがった無線通信システム１００が例示されている。システム１００は、多数のアンテナ・グループを含みうるｅＮＢ１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本より多いアンテナ、または２本より少ないアンテナも、各グループのために利用されうる。ｅＮＢ１０２はさらに、送信機チェーンおよび受信機チェーンを含みうる。それらおのおのは、当業者によって認識されるように、信号の送信および受信に関連付けられた複数の構成要素（例えば、プロセッサ、変調器、マルチプレクサ、復調器、デマルチプレクサ、アンテナ等）に関連付けられた複数の構成要素を備えうる。
【００２８】
ｅＮＢ１０２は、ＵＥ１１６およびＵＥ１２２のような１または複数のＵＥと通信することができる。しかしながら、ｅＮＢ１０２は、ＵＥ１１６、１２２に類似した実質的に任意の数のＵＥと通信しうる。ＵＥ１１６、１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００によって通信するその他任意の適切なデバイスでありうる。図示するように、ＵＥ１１６は、アンテナ１１２、１１４と通信し、アンテナ１１２、１１４は、ダウンリンク１１８によってＵＥ１１６に情報を送信し、アップリンク１２０によってＵＥ１１６から情報を受信する。さらに、ＵＥ１２２は、アンテナ１０４、１０６と通信し、アンテナ１０４、１０６は、ダウンリンク１２４によってＵＥ１２２に情報を送信し、アップリンク１２６によってＵＥ１２２から情報を受信する。周波数分割デュプレクス（ＦＤＤ）システムでは、例えば、ダウンリンク１１８が、アップリンク１２０によって使用されるものとは異なる周波数帯域を利用し、ダウンリンク１２４が、アップリンク１２６によって適用されるものとは異なる周波数帯域を適用しうる。さらに、時分割デュプレクス（ＴＤＤ）システムでは、ダウンリンク１１８とアップリンク１２０とが、共通の周波数帯域を利用し、ダウンリンク１２４とアップリンク１２６とが、共通の周波数帯域を利用しうる。
【００２９】
通信するように指定された領域および／またはアンテナからなるグループはおのおのの、ｅＮＢ１０２のセクタと称されうる。例えば、アンテナ・グループは、ｅＮＢ１０２によってカバーされた領域のセクタ内のＵＥと通信するように設計されうる。ダウンリンク１１８、１２４による通信では、ｅＮＢ１０２の送信アンテナは、ＵＥ１１６、１２２に向けられたダウンリンク１１８、１２４の信号対雑音比を改善するために、ビームフォーミングを利用しうる。さらに、ｅＮＢ１０２が、関連する有効通信範囲にわたってランダムに分布しているＵＥ１１６、１２２に送信するためにビームフォーミングを適用している間、近隣セルにおけるＵＥは、ｅＮＢが、すべてのＵＥに対して単一のアンテナで送信している場合と比べて、少ない干渉しか被らない。さらに、ＵＥ１１６、１２２は、ピア・トゥ・ビアまたはアド・ホック技術（図示せず）を使用して、互いにダイレクトに通信しうる。
【００３０】
例によれば、システム１００は、複数入力複数出力（ＭＩＭＯ）通信システムでありうる。さらに、システム１００は、通信チャネル（例えば、ダウンリンク、アップリンク）を分割するために、例えばＦＤＤ、ＦＤＭ、ＴＤＤ、ＴＤＭ、ＣＤＭ等のような実質的に任意のタイプのデュプレクス技術を利用しうる。さらに、通信チャンネルは、チャネルによって複数のデバイスまたはＵＥとの同時通信を可能にするために直交化されうる。この観点において、一例としてＯＦＤＭが利用されうる。したがって、チャネルは、期間にわたる周波数の部分に分割されうる。さらに、フレームは、期間の集合にわたる周波数の部分として定義され、例えば、フレームは、多くのＯＦＤＭシンボルを含みうる。ｅＮＢ１０２は、さまざまなタイプのデータのために生成されうるチャネルによってＵＥ１１６、１２２へ通信しうる。例えば、チャネルは、様々なタイプの一般的な通信データ、制御データ（例えば、他のチャネルのための品質情報、チャネルを介して受信されたデータのためのアクノレッジメント・インジケータ、干渉情報、基準信号等）等を通信するために生成されうる。
【００３１】
一例において、ｅＮＢ１０２はマクロセルｅＮＢであり、フェムトセルｅＮＢ、ピコセルｅＮＢ、リレー・ノード等でありうる小規模ｅＮＢ１２８が提供される。一例において、この小規模ｅＮＢ１２８は、ｅＮＢ１０２のものと類似した技術を使用して、ＵＥと通信しうる。例えば、小規模ｅＮＢ１２８は、同様にラジオ通信によるチャネルを定義することができ、アップリンク１３４による受信を行いながら、ダウンリンク１３２によって例えばＵＥ１３０のような１または複数のＵＥへ送信しうる。小規模ｅＮＢ１２８は、ＵＥ１３０と通信している場合、例えばｅＮＢ１０２および／またはＵＥ１１６によって利用されたリソースによって干渉を経験する。これに関し、小規模ｅＮＢ１２８は、ＵＥ１３０との干渉の無い通信を促進するために、ｅＮＢ１０２および／またはＵＥ１１６に対して、あるデータ・リソースをブランキングすることを要求しうる。例えば、小規模ｅＮＢは、制御チャネルを介してＵＥ１３０へダウンリンク・リソース・ブランキング・メッセージを送信し、ＵＥ１３０に対して、アップリンク・リソース・ブランキング要求をｅＮＢ１０２および／またはＵＥ１１６へ送信するように要求する。小規模ｅＮＢ１２８は、このブランキングされたデータ・リソースによって、ＵＥ１３０と通信しうる。
【００３２】
小規模ｅＮＢ１２８がＵＥ１３０へダウンリンク・リソース・ブランキング・メッセージを送信する制御チャネルは、ｅＮＢ１０２および／またはＵＥ１１６によって同様に干渉を受ける可能性がある。したがって、小規模ｅＮＢ１２８は、ｅＮＢ１０２および／またはＵＥ１１６に対して、ある制御リソースをブランキングすることを要求することによって、動的な制御チャネル割当を実施しうる。小規模ｅＮＢ１２８は、例えば、ダウンリンク制御ブランキング・メッセージをＵＥ１３０へ送り、ブランキングを要求する。ｅＮＢ１２８は、このメッセージを、例えば、ユニキャスト・メッセージ、マルチキャスト・メッセージ、あるいはブロードキャスト・メッセージとして送信しうる。これに従って、ＵＥ１３０もまた、ユニキャスト・メッセージ、マルチキャスト・メッセージ、あるいはブロードキャスト・メッセージでありうるアップリンク制御ブランキング要求を送信することによって、ｅＮＢ１０２および／またはＵＥ１１６からの制御リソースをブランキングすることを要求しうる。例えば、この要求がブロードキャスト・メッセージである場合、一例として、このメッセージを受信している複数のデバイスが、制御データ・リソースをブランキングしうる。ブランキングされると、小規模ｅＮＢ１２８は、例えば、前述したようなリソース・ブランキング・メッセージをＵＥ１３０へ送信する。これによって、ＵＥ１３０は、示された一般的なデータ・リソースに対するブランキングを要求できるようになる。制御ブランキング・メッセージに対する干渉を回避するために、小規模ｅＮＢ１２８は、一例において、ダイバーシティ・スキーム等を用いて、低再使用制御チャネルでこのメッセージを送信しうる。
【００３３】
図２に示すように、多くのＵＥをサポートするように構成された無線通信システム２００が例示される。このシステム２００は、例えばマクロセル２０２Ａ−２０２Ｇのような複数のセルのための通信を提供する。ここで、おのおののセルは、対応するｅＮＢ２０４Ａ−２０４Ｇによってサービス提供される。説明するように、例えば、マクロセル２０２Ａ−２０２Ｇに関連するｅＮＢ２０４Ａ−２０４Ｇは、基地局あるいは他のアクセス・ポイントでありえる。ＵＥ２０６Ａ−２０６Ｉは、無線通信システム２００の全体にわたる様々な位置に分散して示される。説明したように、ＵＥ２０６Ａ−２０６Ｉのおのおのは、ダウンリンクおよび／またはアップリンクによって、１または複数のｅＮＢ２０４Ａ−２０４Ｇと通信しうる。さらに、ｅＮＢ２０８Ａ−２０８Ｃも示されている。これらは、例えばフェムトセルｅＮＢ、ピコセルｅＮＢ、リレー・ノード、モバイル基地局等のような小規模ｅＮＢであり、説明するように、特定のサービス位置に関連するサービスを提供する。ＵＥ２０６Ａ−２０６Ｉは、さらにあるいはその代わりに、提供されたサービスを受信するために、これら小規模ｅＮＢ２０８Ａ−２０８Ｃと通信しうる。無線通信システム２００は、一例において、大規模な地理的領域にわたってサービスを提供しうる（例えば、マクロセル２０２Ａ−２０２Ｇが、近隣の数ブロックをカバーし、小規模ｅＮＢ２０８Ａ−２０８Ｃは、例えば、説明するように、住宅、オフィス・ビルディング等のような領域に存在しうる）。一例として、ＵＥ２０６Ａ−２０６Ｉは、エアによって、および／または、バックホール接続によって、ｅＮＢ２０４Ａ−２０４Ｇおよび／または２０８Ａ−２０８Ｃとの接続を確立しうる。
【００３４】
説明するように、通信しているマクロセルｅＮＢ２０４Ａ−２０４Ｇおよび／またはＵＥは、小規模ｅＮＢ２０８Ａ−２０８Ｃに対して干渉を与えうる。例えば、小規模ｅＮＢ２０８Ｂは、ｅＮＢ２０４Ｂによって提供されているセル２０２Ｂの内のＵＥ２０６Ｉと通信している。したがって、小規模ｅＮＢ２０８Ｂは、ｅＮＢ２０４Ｂによって利用されているリソースによって受信または送信している場合、干渉を経験しうる。それに加えて、ＵＥ２０６Ｅが、小規模ｅＮＢ２０８Ｂと干渉しうる。したがって、小規模ｅＮＢ２０８Ｂは、例えば、ＵＥ２０６Ｉとの通信を開始すると、制御リソースをブランキングすることを要求することに関連するダウンリンク制御ブランキング・メッセージを生成し、このダウンリンク制御ブランキング・メッセージをＵＥ２０６Ｉへ送信しうる。一例において、小規模ｅＮＢ２０８Ｂは、マクロセルｅＮＢ２０４Ｂおよび／またはＵＥ２０６Ｅからの干渉を緩和するために、このメッセージを、ダイバーシティ等を用いて、低再使用リソースで送信しうる。これに応答して、ＵＥ２０６Ｉは、マクロセルｅＮＢ２０４Ｂおよび／またはＵＥ２０６Ｅへと、アップリンク制御ブランキング要求を送信する。マクロセルｅＮＢ２０４Ｂおよび／またはＵＥ２０６Ｅは、これにしたがって、制御リソースをブランキングしうる。一例において、ＵＥ２０６Ｉおよび／または小規模ｅＮＢ２０８Ｂは、パイロット送信に基づいて、マクロセルｅＮＢ２０４Ｂおよび／またはＵＥ２０６Ｅが、リソースをブランキングしているかを判定しうる。
【００３５】
その後、小規模ｅＮＢ２０８Ｂは、この制御リソースで、ＵＥ２０６Ｉと通信しうる。一例において、小規模ｅＮＢ２０８Ｂは、ｅＮＢ２０４Ｂおよび／またはＵＥ２０６Ｅによる一般的なデータ・リソースのブランキングを要求するリソース・ブランキング・メッセージを生成しうる。同様に、小規模ｅＮＢ２０８Ｂは、ＵＥ２０６ＩによってｅＮＢ２０４Ｂおよび／またはＵＥ２０６Ｅからのブランキングを求める要求を、制御リソースによってＵＥ２０６Ｉへ送信しうる。小規模ｅＮＢ２０８Ｂは、マクロセルｅＮＢ２０４Ｂおよび／またはＵＥ２０６Ｅからの干渉無しで、制御リソースおよび／またはデータ・リソースによってＵＥ２０６Ｉと通信しうる。
【００３６】
図３に移って、無線通信環境内で適用される通信装置３００が例示される。この通信装置３００は、ｅＮＢまたはその一部、あるいは、無線通信ネットワークを介して通信する、および／または、無線ネットワークへのアクセスを提供する実質的に任意の通信装置でありうる。この通信装置３００は、（図示しない）１または複数のデバイスとの干渉の無い制御データ通信を容易にするために制御リソース・ブランキングを要求するダウンリンク制御ブランキング・メッセージを生成する制御ブランキング・メッセージ構成要素３０２と、一般的なデータ・リソースのブランキングを要求するメッセージを生成するリソース・ブランキング・メッセージ構成要素３０４と、制御リソースのセットによって制御データの送信および／または受信を行う制御通信構成要素３０６と、制御リソースおよび／または一般的なデータ・リソースによって１または複数のデバイスとの間でデータの受信および送信を行うデータ通信構成要素３０８とを含む。
【００３７】
例によれば、通信装置３００は、無線ネットワーク内の１または複数のデバイスへ無線ネットワーク・アクセスを提供し、（図示しない）マクロセルｅＮＢの範囲内で通信しうる。マクロセルｅＮＢおよび／またはそれと通信する１または複数のデバイスは、通信装置３００に対する干渉を引き起こしうる。したがって、例えば、通信装置３００は、通信装置３００が無線ネットワーク・アクセスを提供する１または複数のデバイスとの、干渉の無い通信を促進するために、さまざまなリソースのブランキングを要求しうる。この点に関し、制御ブランキング・メッセージ構成要素３０２は、１または複数のデバイスとまず通信すると、１または複数のデバイスへ送信するためのダウンリンク制御ブランキング・メッセージを生成しうる。
【００３８】
ダウンリンク制御ブランキング・メッセージは、ブランキングを要求するための制御情報の仕様、および／または、ブランキングの要求先である１または複数の干渉元デバイスまたはｅＮＢのリストを含みうる。一例において、制御ブランキング・メッセージ構成要素３０２は、ブランキングする制御リソースを選択しうる。一例において、制御リソースは、固定されている。しかしながら、別の例では、制御ブランキング・メッセージ構成要素３０２は、例えばホッピング・スキームのように、ブランキングが要求される制御リソースのためのダイバーシティ・スキームを定義するパラメータを示すダウンリンク制御ブランキング・メッセージを生成しうる。これは、１または複数の干渉元デバイスまたはｅＮＢから制御リソースをブランキングすることを要求する、範囲内にある他の通信装置との衝突を緩和しうる。一例では、ホッピングは、システム時間およびパイロット識別子のハッシュ、あるいは、通信装置に関連する制御リソースのセットのチャネル化を定義する他のキーに少なくとも部分的に基づきうる。別の例では、制御ブランキング・メッセージ構成要素３０２が、ダウンリンク制御ブランキング・メッセージにシステム時間およびパイロット識別子を含め、これによって、受信デバイスは、ブランキングが要求されるホッピング・スキームの制御リソースを決定し、それにしたがって、スキーム内のリソースをブランキングするか、あるいはブランキングすることを要求できるようになる。
【００３９】
それに加えて、制御ブランキング・メッセージ構成要素３０２は、例えばホッピング、ビーコン・シグナリング、ランダム再使用等のようなダイバーシティ・スキームを用いて、低再使用専用制御リソースで、ダウンリンク制御ブランキング・メッセージを送信しうる。あるいは、このメッセージは、通信装置３００がネットワーク・アクセスを提供する１または複数のデバイスによって受信されうる。説明するように、制御ブランキング・メッセージを受信したデバイスは、示されたリソースを、１または複数の干渉元デバイスおよび／またはｅＮＢからブランキングすることを要求しうる。制御ブランキング・メッセージ構成要素３０２は、一例において、干渉元デバイスおよび／またはｅＮＢによって送信されたパイロット信号に少なくとも部分的に基づいて、ブランキングが有効とされたかを判定しうる。干渉元デバイスおよび／またはｅＮＢによって制御リソースがブランキングされた場合、リソース・ブランキング・メッセージ構成要素３０４および／または制御通信構成要素３０６は、１または複数のデバイスと、制御データを通信することができる。一例において、リソース・ブランキング・メッセージ構成要素３０４は、干渉元デバイスまたはｅＮＢからの一般的なデータ・リソース・ブランキングを要求するリソース・ブランキング・メッセージを生成し、このメッセージを、ブランキングされた制御リソースで、１または複数のデバイスへ送信しうる。データ通信構成要素３０８は、ブランキングされた一般的なデータ・リソースで１または複数のデバイスと通信しうる。ダウンリンク制御ブランキング・メッセージまたはリソース・ブランキングは、例えばシステム獲得またはアクセス・メッセージ等のような別のメッセージの一部でありうることが認識されるべきである。
【００４０】
図４に示すように、ｅＮＢおよび関連付けられたＵＥに関連する干渉の無い制御通信を容易にするために、制御チャネルを動的に割り当てることを容易にする無線通信システム４００が例示されている。ＵＥ４０２は、モバイル・デバイス（独立して電源供給されるデバイスのみならず、例えば、モデムをも含む）、基地局、および／またはそれらの一部、あるいは、実質的に任意の無線デバイスでありえる。ｅＮＢ４０４は、マクロセル基地局、フェムトセルｅＮＢ、ピコセルｅＮＢ、リレー・ノード等でありうる。干渉元デバイス４０６は、ＵＥ、ｅＮＢ、および／または、無線ネットワークにおける実質的に任意のデバイスでありうる。さらに、システム４００は、ＭＩＭＯシステムであるか、および／または、１または複数の無線ネットワーク・システム仕様（例えば、ＥＶ−ＤＯ、３ＧＰＰ、３ＧＰＰ２、３ＧＰＰ  ＬＴＥ、ＷｉＭＡＸ等）に準拠し、ＵＥ４０２、ｅＮＢ、および干渉元デバイス４０６間の通信を容易にするための追加の構成要素を備えうる。
【００４１】
ＵＥ４０２は、ｅＮＢからダウンリンク制御ブランキングおよび／またはデータ・リソース・ブランキング・メッセージを取得しうるメッセージ受信構成要素４０８と、ブランキング制御データ・リソースに関連する制御ブランキング要求を１または複数の干渉元デバイスへ送信しうる制御ブランキング要求構成要素４１０と、ブランキングに関連するデータ・ブランキング要求を、一般的なデータ・リソースによって１または複数の干渉元デバイスへ送信しうるデータ・ブランキング要求構成要素４１２と、１または複数の制御リソースをローカルにブランキングしうる制御ブランキング構成要素４１４と、１または複数のデータ・リソースをローカルにブランキングしうるデータ・ブランキング構成要素４１６と、制御リソースのセットで制御情報の送信および受信を行う制御通信構成要素３０６と、データ・リソースのセットでデータを通信しうるデータ通信構成要素３０８とを備える。
【００４２】
ｅＮＢ４０４は、説明するように、動的な制御チャネル割当を容易にするために、１または複数の制御チャネルをブランキングすることを要求するダウンリンク制御ブランキング・メッセージを生成する制御ブランキング・メッセージ構成要素３０２と、ＵＥ４０２と通信するために、一般的なデータ・チャネルの集合をブランキングすることを要求するリソース・ブランキング・メッセージを生成するリソース・ブランキング・メッセージ構成要素３０４と、１セットの制御リソースによって制御情報の送信および受信を行う制御通信構成要素３０６と、データ・リソースのセットによってデータを通信しうるデータ通信構成要素３０８と備えうる。
【００４３】
さらに、干渉元デバイス４０６は、要求された制御チャネルのセットをブランキングする制御ブランキング構成要素４１４と、要求されたデータ・チャネルのセットをブランキングするデータ・ブランキング構成要素４１６と、後続する送信情報を示すパイロット信号を送信しうるパイロット・インジケータ構成要素４１８とを備えうる。説明するように、ブランキングは、制御およびリソースの両方のコンテキストにおいて、送信機が、リソース中における送信、またはリソースによる送信を停止させるハード・サイレンシングを称しうる。しかしながら、ブランキングはまた、ビーム・ステアリングと組み合わされたソフト電力低減（例えば、干渉を受けているデバイスに向けて空間ヌルを形成すること）をも含みうる。
【００４４】
例によれば、ＵＥ４０２が、（例えば、最初に、あるいは再選択の一部として）ｅＮＢ４０４との通信を開始し、制御ブランキング・メッセージ構成要素３０２が、動的な制御チャネル割当を容易にするために、ＵＥ４０２と通信するためのダウンリンク制御チャネルまたはアップリンク制御チャネルのブランキングを要求することに関連する制御ブランキング・メッセージを生成しうる。説明するように、このメッセージは、ブランキングされるべきリソースの固定インジケーションや、ブランキングのためのホッピング・スキームや、ホッピング・スキームに関連する詳細や、あるいは、例えばパイロット識別子およびシステム時間ハッシュまたはその他のキーのようなその他のダイバーシティ・スキームや、干渉元デバイス４０６に対応するもの等を含みうる。制御ブランキング・メッセージ構成要素３０２は、さらに、ブランキングのためのダウンリンク制御リソースのセットを選択または決定し、制御リソースのセットを指定する制御ブランキング・メッセージを生成しうる。それに加えて、制御ブランキング・メッセージ構成要素３０２は、前述したようなダイバーシティ・スキーム等を用いて、低再使用専用制御チャネルで制御ブランキング・メッセージを送信しうる。
【００４５】
メッセージ受信構成要素４０８は、ダウンリンク制御リソースに関連する制御ブランキング・メッセージを取得し、制御ブランキング要求構成要素４１０は、制御チャネルのセットをブランキングすることを要求するために、干渉元デバイス４０６へアップリンク制御ブランキング要求を送信しうる。ここで、制御ブランキング・メッセージにおいて称される制御チャネルは、ダウンリンク制御チャネルである。一例において、干渉元デバイス４０６は、制御ブランキング・メッセージにおいて明示的に識別され、ＵＥ４０２によって干渉元ｅＮＢとして検出される等される。あるいは、制御ブランキング要求構成要素４１０は、範囲内にあるｅＮＢまたはデバイスによるアップリンク制御チャネルのセットのブランキングを促すために、制御チャネルに対する制御ブランキング要求をブロードキャスト／マルチキャストしうる。同様に、その要求は、ブランキングが要求される固定リソース、前述したようなホッピングまたはその他のダイバーシティ情報等を備えうる。それに加えて、制御ブランキング要求構成要素４１０は、この要求を、ダイバーシティ・スキーム、直交データまたは制御チャネル、低再使用専用チャネル等を用いて、干渉元デバイス４０６へ送信しうる。
【００４６】
いずれにせよ、干渉元デバイス４０６は、この要求を受信し、制御ブランキング要素４１４が、要求されたリソースをブランキングするか、あるいは、この要求を拒否する。一例では、パイロット・インジケータ構成要素４１８が、干渉元デバイス４０６の、後続する通信フォーマットを指定するパイロット・インジケータ信号を生成し、ＵＥ４０２および／またはｅＮＢ４０４は、このパイロット・インジケータに少なくとも部分的に基づいて、ブランキングが実行されるのかを判定しうる。ブランキングが実行される場合、制御通信構成要素３０６は、制御リソースのセットで制御データの送信／受信を行いうる。例えば、ｅＮＢ４０４の制御通信構成要素３０６は、アップリンク制御リソースのセットをブランキングするために、ＵＥ４０２またはその他のデバイスへ制御ブランキング要求を送信しうる。この例では、メッセージ受信構成要素４０８が、この要求を取得し、制御ブランキング構成要素４１４が、アップリンク制御リソースのセットをブランキングしうる。別の例では、リソース・ブランキング・メッセージ構成要素３０４が、一般的なデータ・リソースのブランキングを要求するリソース・ブランキング・メッセージを送信し、このメッセージを、干渉元デバイス４０６によってブランキングされた制御リソースでＵＥ４０２へ送信しうる。一例では、このメッセージは、システム・アクセスまたは獲得メッセージで送信されうる。
【００４７】
メッセージ受信構成要素４０８はまた、このメッセージを受信し、データ・ブランキング要求構成要素４１２が、データ・リソースのセットをブランキングするためのアップリンク・リソース・ブランキング要求を生成し、干渉元デバイス４０６へ送信（または転送）しうる。データ・ブランキング構成要素４１６は、要求されたリソースをブランキングするか、あるいはこの要求を拒否する。同様に、パイロット・インジケータ構成要素４１８は、修正されたパイロット・インジケータを生成し、関連する信号を送信しうる。これらは、ＵＥ４０２および／またはｅＮＢ４０４が、干渉元デバイス４０６がデータ・リソースをブランキングしているかを判定するために利用される。別の例では、ｅＮＢ４０４の制御通信構成要素３０６が、ＵＥ４０２にパイロット信号を送信しうる。ＵＥ４０２はこの信号を受信し、ｅＮＢ４０４へチャネル品質フィードバックをレポートしうる。このフィードバックに少なくとも部分的に基づいて、ｅＮＢ４０４（すなわち、制御通信構成要素３０６またはデータ通信構成要素３０８）は、制御リソースおよび／またはデータ・リソースが、干渉元デバイス４０６によって確かにブランキングされたかを判定しうる。ブランキングされた場合、例えば、ｅＮＢ４０４のデータ通信構成要素３０８が、ＵＥ４０２のデータ通信構成要素３０８等へデータを通信しうる。干渉元デバイス４０６の構成要素は、例えばマクロセルｅＮＢと通信しているＵＥのようなその他のタイプの無線デバイス内に存在しうることが認識されるべきである。説明するように、ＵＥは、ｅＮＢ４０４および／またはＵＥ４０２と干渉している。この点に関し、ｅＮＢ４０４は、ＵＥ４０２に対して、干渉元ＵＥによるブランキングを要求させうる。
【００４８】
別の例では、説明するように、制御ブランキング・メッセージ構成要素３０２が、制御ブランキング要求をＵＥ４０２へダイレクトに送信しうる。メッセージ受信構成要素４０８が、このメッセージを取得し、（例えば、このリソースが、アップリンク・リソースに関連する場合）制御ブランキング構成要素４１４が、制御ブランキング要求で指定されたリソースをローカルにブランキングしうる。同様に、リソース・ブランキング・メッセージ構成要素３０４が、ＵＥ４０２にデータ・リソース・ブランキング要求を送信し、データ・ブランキング構成要素４１６が、それにしたがって、データ・リソースをローカルにブランキングしうる。
【００４９】
図５に移って、説明するように、他のデータ・ブランキング要求を送信するために制御ブランキングを要求することを容易にするメッセージ構成５００の例が示される。メッセージ構成５００は、例えば小規模ｅＮＢでありうるサービス提供するｅＮＢによって通信されるメッセージ５０２、サービス提供されるＵＥによって通信されるメッセージ５０４、および、干渉元ｅＮＢによって通信されるメッセージ５０６を表す。縦に揃ったメッセージは、実質的に同じ期間に通信される（が、例えば周波数に関して直交しうる）メッセージを表しうることが認識されるべきである。隣接する行におけるメッセージは、同時期間にわたって送信されるか、あるいは、その間、固定期間または変動期間で送信されうる。図示するように、サービス提供するｅＮＢは、サービス提供されるＵＥへダウンリンク制御ブランキング・メッセージ５０８を通信しうる。サービス提供するｅＮＢは、一例では、システム獲得要求に応答して、このメッセージを通信しうる。
【００５０】
本明細書に記載するように、サービス提供されるＵＥは、それにしたがって、アップリンク制御ブランキング要求５１０を、順方向リンクで、干渉元の１または複数のｅＮＢへ通信しうる。ダウンリンク制御ブランキング・メッセージ５０８および／またはアップリンク制御ブランキング要求５１０は、説明するように、例えば、制御チャネルの固定インジケーション、ホッピング、あるいは、ブランキングが要求されている制御チャネルを判定するためのその他のダイバーシティ・スキーム情報等のようなブランキング制御チャネルに関連する情報を含みうる。一例では、干渉元ｅＮＢは、制御チャネルをブランキングしうる。
【００５１】
サービス提供するｅＮＢは、サービス提供されるＵＥへ、ブランキングされた制御チャネルで、ダウンリンク・リソース・ブランキング・メッセージ５１２を通信しうる。一例では、これは、別のシステム獲得またはアクセス・メッセージの一部でありうる。説明するように、サービス提供されるＵＥはその後、１または複数の干渉元デバイスまたはｅＮＢによるデータ・リソース・ブランキングを促すために、アップリンク・リソース・ブランキング要求５１４を通信しうる。サービス提供するｅＮＢおよび干渉元ｅＮＢは、その後の送信リソース利用を示すパイロット信号５１６、５１８を送信しうる。例えば、パイロット信号５１６、５１８は、チャネルによる後続データ送信を表すために事前符号化され、もって、ＵＥ（例えば、５０４で表されるメッセージを通信するＵＥ）は、チャネル品質測定を実行しうる。それに加えて、サービス提供するｅＮＢのパイロット・メッセージ５１６はまた、例えばサービス提供されるＵＥからのチャネル品質およびアクノレッジメント／否定的なアクノレッジメント（ＡＣＫ／ＮＡＣＫ）メッセージのような、アップリンク制御チャネルを、サービス提供されるＵＥから受信するために、強い干渉元ＵＥに関連付けられたＵＥによってブランキングされるべきリソースを示すためのダウンリンク制御ブランキング要求を含みうる。
【００５２】
サービス提供されるＵＥは、サービス提供するｅＮＢへ、チャネル品質メッセージ５２０を送信し、例えば、メッセージ５１４においてブランキングが要求されているチャネルに関連する割り当てられたデータ・チャネルの品質を示す。したがって、例えば、サービス提供するｅＮＢは、この品質に少なくとも部分的に基づいて、チャネルがブランキングされているかを判定しうる。サービス提供するｅＮＢは、サービス提供されるＵＥへ、５１４においてブランキングが要求されているリソースによって、データ・メッセージおよび／またはダウンリンク・リソース許可５２２を送信する。サービス提供されるＵＥは、５２４において、ＡＣＫ／ＮＡＣＫを送信しうる。このように、要求がなされると、順方向リンクによって干渉される制御リソースがブランキングされ、データ・チャネル・ブランキングの要求、あるいは、ｅＮＢとＵＥとの間のその他の制御データの通信のために、動的に割り当てられる制御セグメントの提供が容易とされる。
【００５３】
図６を参照して、ダウンリンク・リソース・ブランキングとともにダウンリンク制御ブランキングを要求することを容易にするメッセージ構成６００の例が示されている。メッセージ構成６００は、例えば小規模ｅＮＢでありうるサービス提供するｅＮＢによって通信されるメッセージ５０２、サービス提供されるＵＥによって通信されるメッセージ５０４、および、干渉元ｅＮＢによって通信されるメッセージ５０６を表しうる。縦に揃ったメッセージは、実質的に同じ期間に通信される（が、例えば周波数に関して直交しうる）メッセージを表しうることが認識されるべきである。隣接する行におけるメッセージは、同時期間にわたって送信されるか、あるいは、その間、固定期間または変動期間で送信されうる。
【００５４】
サービス提供するｅＮＢは、サービス提供されるＵＥへダウンリンク・リソース・ブランキング・メッセージ５１２を通信しうる。リソース・ブランキング・メッセージ５１２は、ブランキングが要求されるデータ・リソースのパラメータのみならず、ブランキングをさらに要求する制御リソースに関連するパラメータをも備えうる。説明するように、これは、一例において、別のシステム獲得またはアクセス・メッセージの一部でありうる。サービス提供されるＵＥは、その後、説明するように、１または複数の干渉元デバイスまたはｅＮＢによる制御およびデータ・リソース・ブランキングを容易にするために、アップリンク制御ブランキング要求およびアップリンク・ブランキング要求６０２を通信しうる。サービス提供するｅＮＢおよび干渉元ｅＮＢは、その後の送信リソース利用を示すパイロット信号５１６、５１８を送信しうる。例えば、パイロット信号５１６、５１８は、チャネルによるその後のデータ送信を表すために事前符号化され、これによって、ＵＥ（例えば、５０４で示されたメッセージを通信するＵＥ）が、チャネル品質測定を実行しうる。さらに、例えば、サービス提供されるＵＥからのチャネル品質およびアクノレッジメント／否定的なアクノレッジメント（ＡＣＫ／ＮＡＣＫ）メッセージのように、サービス提供されるＵＥからのアップリンク制御チャネルを受信するために、サービス提供するｅＮＢのパイロット・メッセージ５１６はまた、強い干渉元ＵＥに関連付けられたＵＥによってブランキングされるべきリソースを示すダウンリンク制御ブランキング要求をも示しうる。
【００５５】
サービス提供されるＵＥは、サービス提供するｅＮＢへチャネル品質メッセージ５２０を送信し、割り当てられたデータ・チャネルの品質を示す。この割り当てられたデータ・チャネルは、例えば、メッセージ５１４においてブランキングが要求されているチャネルに関連する。サービス提供するｅＮＢは、５１４においてブランキングが要求されているリソースによって、メッセージおよび／またはダウンリンク許可５２２を、サービス提供されるＵＥへ送信する。サービス提供されるＵＥは、５２４において、ＡＣＫ／ＮＡＣＫデータを送信しうる。この例では、図５と比較して、（６０２において）制御およびデータ・リソース・ブランキング・メッセージがともに送信される。これは、本明細書に記載されたように、追加のメッセージによって引き起こされるレイテンシ全体を改善する。しかしながら、図５の構成は、メッセージによって引き起こされる固定オーバヘッドを低減する。これは、同じデータ・リソース・ブランキング・メッセージ／要求からダウンリンク制御ブランキング・メッセージおよび後続するアップリンク制御ブランキング要求を個別に送信することによって達成される。
【００５６】
図７に移って、説明するように、別のデータ・ブランキング要求およびダウンリンク制御（アップリンク・リソース許可およびアップリンク・データ送信のアクノレッジメントを含む）を送信するためにダウンリンク制御ブランキングを要求することを容易にするメッセージ構成７００の例が示される。メッセージ構成７００は、例えば小規模ｅＮＢでありうるサービス提供するｅＮＢによって通信されるメッセージ５０２、サービス提供されるＵＥによって通信されるメッセージ５０４、および、干渉元ＵＥによって通信されるメッセージ７０２を表しうる。縦に揃ったメッセージは、実質的に同じ期間に通信されるメッセージを表しうることが認識されるべきである。隣接する行におけるメッセージは、同時期間にわたって送信されるか、あるいは、その間、固定期間または変動期間で送信されうる。図示するように、サービス提供するｅＮＢは、制御ブランキング・メッセージ５０８を、サービス提供されるＵＥへ通信しうる。サービス提供するｅＮＢは、一例において、システム獲得要求に応答してこのメッセージを通信しうる。
【００５７】
サービス提供されるＵＥは、本明細書で説明するように、それにしたがって、逆方向リンクで干渉している１または複数のＵＥへ、制御ブランキング要求５１０を通信しうる。制御ブランキング・メッセージ５０８および／または制御ブランキング要求５１０は、説明するように、例えば、制御チャネルの固定インジケーション、ホッピング、あるいは、ブランキングが要求される制御チャネルを決定するためのその他のダイバーシティ・スキーム等のようなブランキング制御チャネルに関連する情報を含みうる。
【００５８】
サービス提供するｅＮＢは、ブランキングされた制御チャネルによって、リソース・ブランキング要求７０４を干渉元ＵＥへ通信しうる。サービス提供されるＵＥおよび干渉元ＵＥは、その後の送信情報を示すために、前述と同様に、ダウンリンクへパイロット・インジケータ７０６、５１８を送信しうる。サービス提供するｅＮＢは、サービス提供されるＵＥへとアップリンク許可７０８を送信し、５１０においてブランキングが要求されたリソースによって、データ・リソースを提供する。サービス提供されるＵＥは、その後、サービス提供するｅＮＢへデータ・メッセージ７１０を送信し、サービス提供するｅＮＢは、ブランキングされた制御チャネルで、７１２においてＡＣＫ／ＮＡＣＫおよび／またはＵＬ許可メッセージ７１２を送信しうる。したがって、要求がなされると、逆方向リンクで、干渉元ＵＥによって干渉を受ける制御リソースがブランキングされ、データ・チャネル・ブランキングの要求、または、ｅＮＢとＵＥとの間のその他の制御データの通信のために動的に割り当てられた制御セグメントを提供することを容易にする。
【００５９】
図８に移って、図６に類似しているが、干渉元ＵＥのコンテキストで、ダウンリンク制御ブランキングをデータ・ブランキング要求とともに要求することを容易にするメッセージ構成８００の例が示される。メッセージ構成８００は、例えば小規模ｅＮＢでありうるサービス提供するｅＮＢによって通信されるメッセージ５０２、サービス提供されるＵＥによって通信されるメッセージ５０４、および、干渉元ＵＥによって通信されるメッセージ７０２を表しうる。縦に揃ったメッセージは、実質的に同じ期間に通信されるメッセージを表しうることが認識されるべきである。隣接する行におけるメッセージは、同時期間にわたって送信されるか、あるいは、その間、固定期間または変動期間で送信されうる。
【００６０】
サービス提供するｅＮＢは、リソース・ブランキング要求７０４を干渉元ＵＥへ通信しうる。リソース・ブランキング・メッセージ５１２は、ブランキングが要求されるデータ・リソースのパラメータのみならず、ブランキングをさらに要求する制御リソースに関連するパラメータをも備えうる。説明するように、これは、一例において、別のシステム獲得またはアクセス・メッセージの一部でありうる。サービス提供されるＵＥおよび干渉元ＵＥは、ダウンリンクについて説明したものと同様に、パイロット・インジケータ８０２、５１８を送信し、その後の送信情報を示すが、サービス提供されるＵＥはさらに、パイロットとともにアップリンク制御ブランキング要求８０２を送信しうる。したがって、例えば、干渉元ＵＥは、要求された制御チャネルをブランキングしうる。サービス提供するｅＮＢは、サービス提供されるＵＥへＵＬ許可７０８を送信し、５１０においてブランキングが要求されたリソースによってデータ・リソースを提供する。サービス提供されるＵＥはその後、データ・メッセージ７１０をサービス提供するｅＮＢへ送信し、サービス提供するｅＮＢは、７１２において、ブランキングされた制御チャネルで、ＡＣＫ／ＮＡＣＫおよび／またはＵＬ許可メッセージを送信し、サービス提供されるＵＥは、データ・メッセージ７１４を送信し続ける。説明するように、これは、図７の構成と比べて、追加メッセージによって引き起こされたレイテンシ全体を改善するが、固定オーバヘッドを増加させるという副作用を伴う。
【００６１】
図９乃至図１２に示すように、動的に割り当てられた制御セグメントを提供することに関連する方法が例示される。説明の簡略化の目的のために、これら方法は一連の動作として図示および説明されているが、これら方法は、１または複数の対応によれば、いくつかの動作が、本明細書で図示および説明されたものとは異なる順序で、および／または、同時に生じうるので、これら動作順序に限定されないことが理解および認識されるべきである。例えば、当業者であれば、これら方法はその代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００６２】
図９に移って、ｅＮＢからの制御ブランキング・メッセージに基づいて制御リソース・ブランキングを要求することを容易にする方法９００の例が示される。９０２では、制御データ・リソースのセットをブランキングすることを要求する制御ブランキング・メッセージが、干渉元デバイスによって受信される。干渉元デバイスは、説明するように、例えばマクロセルｅＮＢおよび／または、それと通信しているＵＥのような１または複数のｅＮＢに関連しうる。さらに、無線ネットワーク・アクセスを提供する小規模ｅＮＢからの、制御ブランキング・メッセージが受信されうる。さらに、説明するように、制御データ・リソースのセットは、明示的に定義されるか、ホッピング・パターンまたは（例えば、キーのように）それらに関連する１または複数のパラメータによって定義されるか等である。９０４では、制御リソースのセットに対するブランキングが促される。例えば、リソースがダウンリンク・リソースである場合、制御リソース・ブランキング要求が、制御データ・リソースのセットについて生成され、干渉元ｅＮＢまたはデバイスへ送信される。リソースがアップリンク制御リソースである場合、例えば、ローカルなブランキングが、制御リソースについて実行されうる。９０６では、制御データが、制御データ・リソースのセットによって受信されうる。一例において、制御データは、説明するように、小規模ｅＮＢから受信され、一般的なデータ・リソースのセットに関連するリソース・ブランキング・メッセージでありうる。
【００６３】
図１０を参照して、ｅＮＢからのアップリンク制御およびデータ・ブランキング・メッセージに基づいて、制御およびデータ・リソース・ブランキングを要求することを容易にする方法１０００が例示される。１００２では、制御リソースのセットおよびデータ・リソースのセットのブランキングを要求するブランキング・メッセージが、干渉元デバイスによって受信されうる。干渉元デバイスは、説明するように、例えばマクロセルｅＮＢおよび／またはそれと通信しているＵＥのような１または複数のｅＮＢに関連しうる。さらに、制御およびデータ・ブランキング・メッセージが、無線ネットワーク・アクセスを提供する小規模ｅＮＢから受信されうる。さらに、説明するように、制御データ・リソースのセットは、明示的に定義されるか、ホッピング・パターンまたは（例えば、キーのように）それらに関連する１または複数のパラメータによって定義されるか等である。１００４では、制御リソースのセットおよびデータ・リソースのセットのブランキングが促される。例えば、制御リソースのセットおよび／またはデータ・リソースのセットがダウンリンク・リソースである場合、ダウンリンク制御およびデータ・リソース・ブランキング要求が、制御データ・リソースのセットについて生成されうる。アップリンク・リソースの場合、説明するように、ローカルなブランキングが実行されうる。１００６では、制御データ・リソースのセットで制御データが受信され、データ・リソースのセットでデータが受信されうる。
【００６４】
図１１に示すように、制御リソースのセットをブランキングする要求を送信するために、ＵＥを利用することによって、この要求を容易にする方法１１００の例が示される。１１０２では、制御リソースのセットのブランキングを要求することを示すインジケーションを含む制御ブランキング・メッセージが生成されうる。説明するように、制御ブランキング・メッセージはまた、ブランキングを求める要求が送信されるべき干渉元デバイスを示すインジケーションを含みうる。さらに、説明するように、制御ブランキング・メッセージは、制御リソースのセットを示す明示的なインジケーション、例えばホッピング・メトリックのようなリソースを決定するためのパラメータ等を備えうる。１１０４では、ブランキングの要求を容易にする制御ブランキング・メッセージがＵＥへ送信され、１１０６では、制御リソースのセットで、制御データがＵＥへ通信されうる。制御データは、一例において、（例えば、リソース・ブランキング・メッセージのような）一般的なデータ・リソースのブランキングをも同様に要求することに関しうる。さらに、図示されていないが、干渉元デバイスのパイロット・インジケータがベリファイされ、この干渉元デバイスが、その後の通信において、制御データ（および／または一般的なデータ）リソースのセットをブランキングしているかが判定される。
【００６５】
図１２に移って、制御およびデータ・リソースのセットをブランキングする要求を干渉元デバイスへ送信するために、ＵＥを用いることによって、この要求を容易にする方法１２００の例が示される。１２０２において、制御リソースのセット、および、データ・リソースのセットをブランキングする要求を示すインジケーションを含むブランキング・メッセージが生成されうる。説明するように、ブランキング・メッセージはまた、ブランキングすることを求める要求が送信されるべき干渉元デバイスを示すインジケーションをも含みうる。さらに、説明するように、ブランキング・メッセージは、データ・リソースおよび制御リソースのセットを示す明示的なインジケーション、例えばホッピング・メトリックのようなリソースを決定するためのパラメータ等を備えうる。１２０４では、ブランキングを要求することを容易にするブランキング・メッセージが送信され、１２０６では、制御データが、制御リソースのセットでＵＥへ通信され、データが、データ・リソースのセットでＵＥへ通信されうる。さらに、図示していないが、干渉元デバイスのパイロット・インジケータがベリファイされ、この干渉元デバイスが、その後の通信において、制御および／またはデータのセットをブランキングしているかが判定される。
【００６６】
本明細書に記載された１または複数の態様によれば、ブランキングが要求される制御データ・リソースが、干渉元デバイスによってブランキングされたかを判定すること、どの制御データ・リソースがブランキングされるべきかを区別すること等に関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００６７】
図１３は、受信したメッセージに少なくとも部分的に基づいて、制御および一般的なデータ・リソース・ブランキングを要求することを容易にするＵＥ１３００の例示である。ＵＥ１３００は、例えば、（図示しない）受信アンテナから１または複数のキャリアによって１または複数の信号を受信し、これら受信信号について一般的な動作（例えば、フィルタ、増幅、ダウンコンバート等）を実行し、これら調整された信号をデジタル化してサンプルを得る受信機１３０２を備える。受信機１３０２は、受信したシンボルを復調し、それらをチャネル推定のためにプロセッサ１３０６へ提供する復調器１３０４を備えうる。プロセッサ１３０６は、受信機１３０２によって受信された情報の分析、および／または、送信機１３１６による送信のための情報の生成に特化されたプロセッサ、ＵＥ１３００の１または複数の構成要素を制御するプロセッサ、および／または、受信機１３０２によって受信された情報の分析と、送信機１３１６による送信のための情報の生成と、ＵＥ１３００の１または複数の構成要素の制御との両方を行うプロセッサでありうる。
【００６８】
ＵＥ１３００はさらに、プロセッサ１３０６に動作可能に接続されたメモリ１３０８を備えうる。このメモリ１３０８は、送信されるデータ、受信したデータ、利用可能なチャネルに関連する情報や、分析されたデータおよび／または干渉強度に関連付けられたデータや、割り当てられたチャネル、電力、レート等に関連する情報、および／または、チャネルの推定およびチャネルによる通信のためのその他任意の適切な情報を格納しうる。メモリ１３０８はさらに、（例えば、パフォーマンス・ベース、キャパシティ・ベース等での）チャネルの推定および／または利用に関連付けられたアルゴリズムおよび／またはプロトコルを格納しうる。
【００６９】
本明細書に記載されたデータ・ストア（例えば、メモリ１３０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ１３０８は、限定される訳ではないが、これらおよびその他任意の適切なタイプのメモリを備えることが意図される。
【００７０】
プロセッサ１３０６はさらに、ｅＮＢへ送信される制御ブランキング要求を生成する制御ブランキング要求構成要素１３１０と、ｅＮＢへ送信される一般的なデータ・リソースのためのブランキング要求メッセージを生成するデータ・ブランキング要求構成要素１３１２とに動作可能に接続されうる。一例において、受信機１３０２は、説明するように、制御データ・リソースのセットのブランキングを要求することに関連する制御ブランキング・メッセージを小規模ｅＮＢから取得しうる。制御ブランキング・メッセージは、例えばビーコン、再使用等のようなダイバーシティ・スキームを用いて、低再使用専用チャネル等によって受信されうる。さらに、制御ブランキング・メッセージは、制御リソースのセットを示す明示的なインジケーション、（例えば、説明したように、ホッピング情報のような）制御リソースのセットを決定するための情報等を備えうる。制御ブランキング要求構成要素１３１０は、制御データ・リソースのセット、および／または、制御ブランキング要求を決定するための関連情報に基づいて、制御ブランキング要求を定式化し、この要求を、干渉元デバイスまたはｅＮＢへ送信しうる。
【００７１】
さらに、受信機１３０２は、制御データ・リソースのセットによって、一般的なデータ・リソースのセットのリソース・ブランキング・メッセージを取得しうる。データ・ブランキング要求構成要素１３１２もまた同様に、１または複数の干渉元デバイスまたはｅＮＢに対して、一般的なデータ・リソースをブランキングする要求を定式化し、そのメッセージを干渉元デバイスまたはｅＮＢへ送信しうる。その後、受信機１３０２は、説明するように、一般的なデータ・リソースで、小規模ｅＮＢからデータを受信しうる。ＵＥ１３００はさらに、信号を変調する変調器１３１４と、これら信号を、例えば基地局や他のＵＥ等へ送信する送信機１３１６とを備える。プロセッサ１３０６とは別に示されているが、復調器１３０４、制御ブランキング要求構成要素１３１０、データ・ブランキング要求構成要素１３１２、および／または、変調器１３１４は、プロセッサ１３０６または複数のプロセッサ（図示せず）の一部でありうることが認識されるべきである。
【００７２】
図１４は、制御ブランキング・メッセージおよびリソース・ブランキング・メッセージをＵＥへ送信することを容易にするシステム１４００の実例である。このシステム１４００は、複数の受信アンテナ１４０６を介して１または複数のＵＥ１４０４から信号を受信する受信機１４１０と、送信アンテナ１４０８を介して１または複数のＵＥ１４０４へ送信する送信機１４２４と、を備えた基地局（例えば、ｅＮＢ）を備える。受信機１４１０は、受信アンテナ１４０６から情報を受信する。また、受信した信号を復号するデスクランブラと動作可能に関連付けられている。さらに、受信されデスクランブルされた信号を、復調器１４１２が復調する。復調されたシンボルは、図９に関して上述されたプロセッサと類似したプロセッサ１４１４によって分析される。プロセッサ１４１４は、信号（例えば、パイロット）強度および／または干渉強度を推定することに関連する情報、ＵＥ（単数または複数）１４０４（または（図示しない）別の基地局）との間で送受信されるデータ、および／または、本明細書に記載されたさまざまな動作および機能を実行することに関連するその他任意の適切な情報、を格納するメモリ１４１６に接続されている。プロセッサ１４１４はさらに、本明細書に記載しているように、制御リソースのセットをブランキングすることを要求する制御ブランキング・メッセージを生成する制御ブランキング・メッセージ構成要素１４１８と、一般的なデータ・リソースをブランキングすることを要求するリソース・ブランキング・メッセージを生成するリソース・ブランキング・メッセージ構成要素１４２０とに接続されている。
【００７３】
例によれば、制御ブランキング・メッセージ構成要素１４１８は、１または複数の干渉元デバイスからの制御リソースのセットをブランキングすることを要求するメッセージを生成しうる。制御ブランキング・メッセージ構成要素１４１８は、説明するように、送信機１４２４を用いて、このメッセージを１または複数のＵＥ１４０４へ送信し、ブランキングを要求することを容易にする。制御ブランキング・メッセージは、説明するように、制御リソースの明示的なインジケーション、ブランキングのためのリソースを決定するための情報（例えば、ホッピングのためのキー等のように、ダイバーシティを提供するためのホッピング情報）を備えうる。さらに、リソース・ブランキング・メッセージ構成要素１４２０は、説明するように、一般的なデータ・リソースの１または複数の干渉元デバイスによるブランキング要求を備えるリソース・ブランキング・メッセージを、制御データ・リソースによってＵＥ（単数または複数）１４０４へ送信するために送信機１４２４を利用しうる。さらに、プロセッサ１４１４と別に示されているが、復調器１４１２、制御ブランキング・メッセージ構成要素１４１８、リソース・ブランキング・メッセージ構成要素１４２０、および／または、変調器１４２２は、プロセッサ１４１４または多くのプロセッサ（図示せず）の一部でありうることが認識されるべきである。
【００７４】
図１５は、無線通信システム１５００の例を示す。無線通信システム１５００は、簡略のために、１つの基地局１５１０と１つのＵＥ１５５０しか示していない。しかしながら、システム１５００は、複数の基地局および／または複数のＵＥを含むことができ、追加の基地局および／またはＵＥは、以下に示すような基地局１５１０およびＵＥ１５５０の例と実質的に同じでも、あるいは別のものでもありうることが認識されるべきである。さらに、基地局１５１０および／またはＵＥ１５５０は、その間の無線通信を容易にするために、本明細書に記載されたシステム（図１乃至図４、および図１３乃至図１４）、構成（図５乃至図８）、および／または、方法（図９乃至図１２）を適用しうることが認識されるべきである。
【００７５】
基地局１５１０では、多くのデータ・ストリームのためのトラフィック・データが、データ・ソース１５１２から送信（ＴＸ）データ・プロセッサ１５１４へ提供される。一例によれば、おのおののデータ・ストリームが、それぞれのアンテナを介して送信される。ＴＸデータ・プロセッサ１５１４は、トラフィック・データ・ストリームをフォーマットし、このデータ・ストリームのために選択された特定の符合化スキームに基づいて符号化し、インタリーブして、符合化されたデータを提供する。
【００７６】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般に、既知の方法で処理される既知のデータ・パターンであり、ＵＥ１５５０において、チャネル応答を推定するために使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１５３０によって実行または提供される指示によって決定されうる。
【００７７】
データ・ストリームの変調シンボルは、（例えば、ＯＦＤＭのために）変調シンボルを処理するＴＸ  ＭＩＭＯプロセッサ１５２０に提供される。ＴＸ  ＭＩＭＯプロセッサ１５２０はその後、ＮＴ個の変調シンボル・ストリームをＮＴ個の送信機（ＴＭＴＲ）１５２２ａ乃至１５２２ｔへ提供する。さまざまな態様において、ＴＸ  ＭＩＭＯプロセッサ１５２０は、データ・ストリームのシンボルへ、および、シンボルが送信されるアンテナへ、ビームフォーミング重みを適用する。
【００７８】
おのおのの送信機１５２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１５２２ａ乃至１５２２ｔからのＮＴ個の変調信号が、ＮＴ個のアンテナ１５２４ａ乃至１５２４ｔからそれぞれ送信される。
【００７９】
ＵＥ１５５０では、送信された変調信号が、ＮＲ個のアンテナ１５５２ａ乃至１５５２ｒによって受信され、各アンテナ１５５２からの受信信号が、それぞれの受信機（ＲＣＶＲ）１５５４ａ乃至１５５４ｒへ提供される。おのおのの受信機１５５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８０】
ＲＸデータ・プロセッサ１５６０は、ＮＲ個の受信機１５５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１５６０は、検出されたおのおののシンボル・ストリームを復調し、デインタリーブし、復号して、そのデータ・ストリームのためのトラフィック・データを復元する。ＲＸデータ・プロセッサ１５６０による処理は、基地局１５１０におけるＴＸ  ＭＩＭＯプロセッサ１５２０およびＴＸデータ・プロセッサ１５１４によって実行されるものと相補的である。
【００８１】
プロセッサ１５７０は、上述したように、どの事前符合化行列を使用するのかを定期的に決定する。さらに、プロセッサ１５７０は、行列インデクス部およびランク値部を備えた逆方向リンク・メッセージを規定することができる。
【００８２】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース１５３６から受信するＴＸデータ・プロセッサ１５３８によって処理され、変調器１５８０によって変調され、送信機１５５４ａ乃至１５５４ｒによって調整され、基地局１５１０へ送り戻される。
【００８３】
基地局１５１０では、ＵＥ１５５０からの変調信号が、アンテナ１５２４によって受信され、受信機１５２２によって調整され、復調器１５４０によって復調され、ＲＸデータ・プロセッサ１５４２によって処理されて、ＵＥ１５５０によって送信された逆方向リンク・メッセージが抽出される。さらに、プロセッサ１５３０は、ビームフォーミング重みを決定するためにどの事前符合化行列を使用するかを決定するために、この抽出されたメッセージを処理する。
【００８４】
プロセッサ１５３０、１５７０は、基地局１５１０およびＵＥ１５５０における動作を指示（例えば、制御、調整、管理等）しうる。プロセッサ１５３０およびプロセッサ１５７０はそれぞれ、プログラム・コードおよびデータを格納するメモリ１５３２およびメモリ１５７２に関連付けられうる。プロセッサ１５３０およびプロセッサ１５７０はまた、アップリンクおよびダウンリンクそれぞれのための周波数およびインパルス応答推定値を導出する計算をも実行する。
【００８５】
本明細書に記載された態様は、ハードウェア、ソフトウェア、ファームウェア、ミドルウェア、マイクロコード、あるいはそれらの任意の組み合わせによって実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００８６】
これら態様が、ソフトウェア、ファームウェア、ミドルウェアまたはマイクロコード、プログラム・コードまたはコード・セグメントにおいて実現される場合、それらは、たとえばストレージ構成要素のような機械読取可能媒体内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００８７】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８８】
図１６を参照して、干渉元デバイスまたはｅＮＢからのブランキングを要求することを容易にするシステム１６００が例示される。例えば、システム１６００は、基地局、ＵＥ等の中に少なくとも部分的に存在しうる。システム１６００は、プロセッサ、ソフトウェア、またはそれらの組み合わせ（例えば、ファームウェア）によって実現される機能を表す機能ブロックでありうる機能ブロックを含むものとして示されることが認識されるべきである。システム１６００は、連携して動作しうる電子構成要素の論理グループ１６０２を含む。例えば、論理グループ１６０２は、制御リソースのセットをブランキングする制御ブランキング要求を１または複数の干渉元デバイスへ送信するための電子構成要素１６０４を含みうる。例えば、説明するように、制御ブランキング要求は、（例えば、周波数および／または時間によって）リソースを明示的に示し、（例えば、ホッピング・パターン、再使用、またはその他のダイバーシティ情報のような）リソースを決定するためのパラメータを示す等を行う。さらに、制御ブランキング要求は、低再使用専用チャネルによって、および／または、メッセージ受信を保証するダイバーシティを用いて受信されうる。さらに、説明するように、制御ブランキング要求は、電子構成要素１６０４によって送信された制御ブランキング・メッセージの一部でありうる。
【００８９】
さらに、論理グループ１６０２は、制御リソースのセットで別のデバイスと制御情報を通信するための電子構成要素１６０６を含みうる。一例では、制御情報は、説明するように、アップリンク・リソースのセットを求める後続する制御ブランキング要求でありうる。説明するように、この制御情報は、例えばリソース・ブランキング要求またはメッセージのようなその他の制御データにも関連しうる。したがって、論理グループ１６０２はまた、ブランキングのためのデータ・リソースのセットを指定するリソース・ブランキング要求を１または複数の干渉元デバイスへ送信するための電子構成要素１６０８をも含みうる。論理グループ１６０２はまた、データを、データ・リソースのセットによって別のデバイスへ通信するための電子構成要素１６１０をも備えうる。
【００９０】
さらに、論理グループ１６０２は、ダウンリンク・リソースに対応する制御リソースのセットのブランキングを要求するダウンリンク制御ブランキング・メッセージをｅＮＢから受信するための電子構成要素１６１２を含みうる。この点に関し、既に説明したように、制御ブランキング・メッセージが受信されると、制御ブランキング要求が送信されうる。さらに、論理グループ１６０２は、データ・リソースのセットのブランキングを要求するダウンリンク・リソース・ブランキング・メッセージを、制御リソースのセットで受信するための電子構成要素１６１４を含みうる。この点に関し、電子構成要素１６１０は、このデータ・リソースのセットによっても同様にデータを通信しうる。さらに、システム１６００は、電子構成要素１６０４、１６０６、１６０８、１６１０、１６１２、１６１４に関連付けられた機能を実行するための命令群を保持するメモリ１６１６を含みうる。メモリ１６１０の外側にあると示されているが、電子構成要素１６０４、１６０６、１６０８、１６１０、１６１２、１６１４のうちの１または複数は、メモリ１６１６の内部に存在しうることが理解されるべきである。
【００９１】
図１７を参照して、ｅＮＢからの要求に基づいてブランキング制御リソースを容易にするシステム１７００が例示される。例えば、システム１７００は、基地局、ＵＥ等の内部に少なくとも部分的に存在しうる。システム１７００は、プロセッサ、ソフトウェア、またはそれらの組み合わせ（例えば、ファームウェア）によって実現される機能を表す機能ブロックでありうる機能ブロックを含むものとして示されることが認識されるべきである。システム１７００は、連携して動作しうる電子構成要素の論理グループ１７０２を含む。例えば、論理グループ１７０２は、ブランキングされるべき制御リソースのセットを示すダウンリンク制御ブランキング要求を受信するための電子構成要素１７０４を含みうる。例えば、説明するように、ダウンリンク制御ブランキング要求は、（例えば、周波数および／または時間によって）リソースを明示的に示し、（例えば、ホッピング・パターン、再使用、またはその他のダイバーシティ情報のような）リソースを決定するためのパラメータを示す等を行う。さらに、ダウンリンク制御ブランキング要求は、低再使用専用チャネルによって、および／または、メッセージ受信を保証するダイバーシティを用いて受信されうる。さらに、論理グループ１７０２は、アップリンク・リソースである制御リソースのセットをローカルにブランキングするための電子構成要素１７０６を含みうる。さらに、システム１７００は、電子構成要素１７０４、１７０６に関連付けられた機能を実行するための命令群を保持するメモリ１７０８を含みうる。メモリ１７０８の外側にあると示されているが、電子構成要素１７０４、１７０６のうちの１または複数は、メモリ１７０８の内部に存在しうることが理解されるべきである。
【００９２】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは状態機器を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００９３】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００９４】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００９５】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2014096827.tif 000003
【図２】
2014096827.tif 000004
【図３】
2014096827.tif 000005
【図４】
2014096827.tif 000006
【図５】
2014096827.tif 000007
【図６】
2014096827.tif 000008
【図７】
2014096827.tif 000009
【図８】
2014096827.tif 000010
【図９】
2014096827.tif 000011
【図１０】
2014096827.tif 000012
【図１１】
2014096827.tif 000013
【図１２】
2014096827.tif 000014
【図１３】
2014096827.tif 000015
【図１４】
2014096827.tif 000016
【図１５】
2014096827.tif 000017
【図１６】
2014096827.tif 000018
【図１７】
2014096827.tif 000019
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
方法であって、
制御リソースのセットをブランキングすることを求める制御ブランキング要求を、１または複数の干渉元デバイスへ送信することと、
前記制御リソースのセットによって、別のデバイスと制御情報を通信することと
を備える方法。
【手続補正２】
【補正対象書類名】明細書
【補正対象項目名】００９５
【補正方法】変更
【補正の内容】
【００９５】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
なお、以下に、出願当初の特許請求の範囲に記載された発明を付記する。
［Ｃ１］方法であって、
制御リソースのセットをブランキングすることを求める制御ブランキング要求を、１または複数の干渉元デバイスへ送信することと、
前記制御リソースのセットによって、別のデバイスと制御情報を通信することと
を備える方法。
［Ｃ２］利用可能なダウンリンク制御リソースから前記制御リソースのセットを選択することをさらに備え、
前記制御ブランキング要求を送信することは、前記制御ブランキング要求を備える制御ブランキング・メッセージを、前記１または複数の干渉元デバイスへ送信することを含むＣ１に記載の方法。
［Ｃ３］ブランキングするためのアップリンク制御リソースのセットを指定する別の制御ブランキング要求を、前記制御リソースのセットで、前記１または複数の干渉元デバイスへ送信することをさらに備えるＣ２に記載の方法。
［Ｃ４］前記制御情報は、ブランキングするためのデータ・リソースのセットを指定するリソース・ブランキング要求を備えるダウンリンク・リソース・ブランキング・メッセージを含むＣ３に記載の方法。
［Ｃ５］前記データ・リソースのセットで、前記別のデバイスへデータを通信することをさらに備えるＣ４に記載の方法。
［Ｃ６］前記制御情報は、前記別のデバイスのためのダウンリンク・リソース許可を含むＣ３に記載の方法。
［Ｃ７］前記データ・リソースのセット、または、前記制御リソースのセットによって、品質に関連するフィードバックを受信するために、前記別のデバイスへパイロット信号を送信することをさらに備えるＣ３に記載の方法。
［Ｃ８］ブランキングするためのデータ・リソースのセットを指定するリソース・ブランキング要求を、前記１または複数の干渉元デバイスへ送信することをさらに備えるＣ２に記載の方法。
［Ｃ９］前記データ・リソースのセットで、前記別のデバイスとデータを通信することをさらに備えるＣ８に記載の方法。
［Ｃ１０］前記別のデバイスにアップリンク許可を送信することをさらに備えるＣ２に記載の方法。
［Ｃ１１］前記制御ブランキング・メッセージはさらに、前記制御リソースのセットのチャネル化に関連するキーを含むＣ２に記載の方法。
［Ｃ１２］前記キーをパイロット識別子およびシステム時間から生成することをさらに備えるＣ１１に記載の方法。
［Ｃ１３］パイロット・インジケータ信号を受信することと、
パイロット信号に少なくとも部分的に基づいて、前記１または複数の干渉元デバイスが、前記制御リソースのセットによる送信をブランキングしたかを判定することと
をさらに備えるＣ２に記載の方法。
［Ｃ１４］前記制御ブランキング・メッセージが、低再使用制御チャネルで送信されるＣ２に記載の方法。
［Ｃ１５］データ・リソースのセットをブランキングする要求を含むリソース・ブランキング・メッセージを、前記低再使用制御チャネルで送信することをさらに備えるＣ１４に記載の方法。
［Ｃ１６］ダウンリンク・リソースに対応する前記制御リソースのセットをブランキングすることを要求するダウンリンク制御ブランキング・メッセージを受信することと、
前記制御リソースのセットに少なくとも部分的に基づいて前記制御ブランキング要求を生成することと
をさらに備えるＣ１に記載の方法。
［Ｃ１７］データ・リソースのセットをブランキングすることを要求するダウンリンク・リソース・ブランキング・メッセージを、前記制御リソースのセットで受信することをさらに備えるＣ１６に記載の方法。
［Ｃ１８］前記データ・リソースのセットに対するアップリンク・データ・リソース・ブランキング要求を生成することと、
前記アップリンク・データ・リソース・ブランキング要求を、前記１または複数の干渉元デバイスへ送信することと
をさらに備えるＣ１７に記載の方法。
［Ｃ１９］前記データ・リソースのセットで通信することをさらに備えるＣ１８に記載の方法。
［Ｃ２０］前記ダウンリンク制御ブランキング・メッセージは、低再使用制御チャネルで受信されるＣ１６に記載の方法。
［Ｃ２１］前記ダウンリンク制御ブランキング・メッセージは、前記制御リソースのセットのチャネル化を定義するキーを備えるＣ１６に記載の方法。
［Ｃ２２］前記キーは、前記ダウンリンク制御ブランキング・メッセージを送信するデバイスのパイロット識別子とシステム時間とに対応するＣ２１に記載の方法。
［Ｃ２３］前記ダウンリンク制御ブランキング・メッセージは、前記１または複数の干渉元デバイスを示すＣ１６に記載の方法。
［Ｃ２４］データ・リソースのセットをブランキングするためのリソース・ブランキング要求を、前記制御ブランキング要求とともに、前記１または複数の干渉元デバイスへ送信することと、
前記データ・リソースのセットで、前記別のデバイスと通信することと
をさらに備えるＣ１に記載の方法。
［Ｃ２５］前記制御ブランキング要求は、ユニキャスト送信、ブロードキャスト送信、またはマルチキャスト送信として送信されるＣ１に記載の方法。
［Ｃ２６］無線通信装置であって、
制御リソースのセットをブランキングすることを求める制御ブランキング要求を、１または複数の干渉元デバイスへ送り、前記制御リソースのセットによって、制御情報を別のデバイスへ送信するように構成された少なくとも１つのプロセッサと、
前記少なくとも１つのプロセッサに接続されたメモリと
を備える無線通信装置。
［Ｃ２７］前記少なくとも１つのプロセッサはさらに、ダウンリンク・リソースのセットから前記制御リソースのセットを決定するように構成され、
前記少なくとも１つのプロセッサは、前記制御ブランキング要求を、制御ブランキング・メッセージの一部として、前記１または複数の干渉元デバイスへ送信するように構成されたＣ２６に記載の無線通信装置。
［Ｃ２８］前記少なくとも１つのプロセッサはさらに、ブランキングするためのアップリンク制御リソースのセットを示す別の制御ブランキング要求を、前記制御リソースのセットで、前記１または複数の干渉元デバイスへ送信するように構成されたＣ２７に記載の無線通信装置。
［Ｃ２９］前記制御情報は、ブランキングするためのデータ・リソースのセットを示すリソース・ブランキング要求を備えるダウンリンク・リソース・ブランキング・メッセージを含むＣ２８に記載の無線通信装置。
［Ｃ３０］前記少なくとも１つのプロセッサはさらに、前記データ・リソースのセットで、前記別のデバイスへデータを通信するように構成されたＣ２９に記載の無線通信装置。
［Ｃ３１］前記制御情報は、前記別のデバイスのためのダウンリンク・リソース許可を含むＣ２８に記載の無線通信装置。
［Ｃ３２］前記少なくとも１つのプロセッサはさらに、ブランキングするためのデータ・リソースのセットを指定するリソース・ブランキング要求を、前記１または複数の干渉元デバイスへ送信するように構成されたＣ２７に記載の無線通信装置。
［Ｃ３３］前記少なくとも１つのプロセッサはさらに、前記データ・リソースのセットで、前記別のデバイスへデータを通信するように構成されたＣ３２に記載の無線通信装置。
［Ｃ３４］前記少なくとも１つのプロセッサはさらに、ブランキングするためのデータ・リソースのセットを指定するリソース・ブランキング要求を、前記１または複数の干渉元デバイスへ通信するように構成されたＣ２７に記載の無線通信装置。
［Ｃ３５］前記少なくとも１つのプロセッサはさらに、前記データ・リソースのセットで、前記別のデバイスと通信するように構成されたＣ３４に記載の無線通信装置。
［Ｃ３６］前記少なくとも１つのプロセッサはさらに、前記別のデバイスにアップリンク許可を送信するように構成されたＣ２７に記載の無線通信装置。
［Ｃ３７］前記制御ブランキング・メッセージはさらに、前記制御リソースのセットのチャネル化に関連するキーを含むＣ２７に記載の無線通信装置。
［Ｃ３８］前記少なくとも１つのプロセッサは、前記制御ブランキング・メッセージを、低再使用制御チャネルで送信するＣ２７に記載の無線通信装置。
［Ｃ３９］前記少なくとも１つのプロセッサはさらに、ダウンリンク・リソースに対応する前記制御リソースのセットをブランキングすることを要求するダウンリンク制御ブランキング・メッセージを受信し、前記制御リソースのセットに少なくとも部分的に基づいて前記制御ブランキング要求を生成するように構成されたＣ２６に記載の無線通信装置。
［Ｃ４０］前記少なくとも１つのプロセッサはさらに、データ・リソースのセットをブランキングすることを要求するダウンリンク・リソース・ブランキング・メッセージを、前記制御リソースのセットで受信するように構成されたＣ３９に記載の無線通信装置。
［Ｃ４１］前記少なくとも１つのプロセッサはさらに、前記データ・リソースのセットに対するアップリンク・データ・リソース・ブランキング要求を生成し、前記アップリンク・データ・リソース・ブランキング要求を、前記１または複数の干渉元デバイスへ送信するように構成されたＣ４０に記載の無線通信装置。
［Ｃ４２］前記少なくとも１つのプロセッサはさらに、前記データ・リソースのセットで通信するように構成されたＣ４１に記載の無線通信装置。
［Ｃ４３］前記少なくとも１つのプロセッサはさらに、データ・リソースのセットをブランキングするためのリソース・ブランキング要求を、前記制御ブランキング要求とともに、前記１または複数の干渉元デバイスへ送信し、前記データ・リソースのセットで、前記別のデバイスと通信するように構成されたＣ２６に記載の無線通信装置。
［Ｃ４４］装置であって、
制御リソースのセットをブランキングすることを求める制御ブランキング要求を、１または複数の干渉元デバイスへ送る手段と、
前記制御リソースのセットによって、制御情報を別のデバイスへ通信する手段と
を備える装置。
［Ｃ４５］前記制御ブランキング要求を送信する手段は、ダウンリンク制御リソースから前記制御リソースのセットを選択し、前記制御ブランキング要求を、制御ブランキング・メッセージで、前記１または複数の干渉元デバイスへ送信するＣ４４に記載の装置。
［Ｃ４６］前記制御ブランキング要求を送信する手段は、ブランキングするためのアップリンク制御リソースのセットを指定する別の制御ブランキング要求を、前記１または複数の干渉元デバイスへ送信するＣ４５に記載の装置。
［Ｃ４７］前記制御情報は、ブランキングするためのデータ・リソースのセットを指定するリソース・ブランキング要求を備えるダウンリンク・リソース・ブランキング・メッセージを含むＣ４６に記載の装置。
［Ｃ４８］前記データ・リソースのセットで、前記別のデバイスへデータを通信する手段をさらに備えるＣ４７に記載の装置。
［Ｃ４９］前記制御情報を通信する手段は、前記データ・リソースのセット、または、前記制御リソースのセットに関連するフィードバックを受信するために、前記別のデバイスへパイロット信号を送信するＣ４７に記載の装置。
［Ｃ５０］前記制御情報は、前記別のデバイスのためのダウンリンク・リソース許可を含むＣ４６に記載の装置。
［Ｃ５１］ブランキングするためのデータ・リソースのセットを指定するリソース・ブランキング要求を、前記１または複数の干渉元デバイスへ送信する手段をさらに備えるＣ４５に記載の装置。
［Ｃ５２］前記データ・リソースのセットで、前記別のデバイスとデータを通信することをさらに備えるＣ５１に記載の装置。
［Ｃ５３］前記制御情報は、前記別のデバイスのためのアップリンク許可を含むＣ４５に記載の装置。
［Ｃ５４］前記制御ブランキング・メッセージはさらに、ホッピング・パターンのような制御リソースのセットのチャネル化に関連するキーを含むＣ４５に記載の装置。
［Ｃ５５］前記キーをパイロット識別子およびシステム時間から生成する手段をさらに備えるＣ５４に記載の装置。
［Ｃ５６］前記制御ブランキング・メッセージが、低再使用制御チャネルで送信されるＣ４５に記載の装置。
［Ｃ５７］ダウンリンク・リソースに対応する前記制御リソースのセットをブランキングすることを要求するダウンリンク制御ブランキング・メッセージを受信する手段をさらに備え、
前記制御ブランキング要求を送る手段はさらに、前記制御リソースのセットに少なくとも部分的に基づいて前記制御ブランキング要求を生成するＣ４４に記載の装置。
［Ｃ５８］データ・リソースのセットをブランキングすることを要求するダウンリンク・リソース・ブランキング・メッセージを、前記制御リソースのセットで受信する手段をさらに備えるＣ５７に記載の装置。
［Ｃ５９］前記データ・リソースのセットに対するアップリンク・データ・リソース・ブランキング要求を生成し、前記アップリンク・データ・リソース・ブランキング要求を、前記１または複数の干渉元デバイスへ送信する手段をさらに備えるＣ５８に記載の装置。
［Ｃ６０］前記データ・リソースのセットで通信する手段をさらに備えるＣ５９に記載の装置。
［Ｃ６１］前記ダウンリンク制御ブランキング・メッセージは、低再使用制御チャネルで受信されるＣ５７に記載の装置。
［Ｃ６２］前記ダウンリンク制御ブランキング・メッセージは、ホッピング・パターンのような前記制御リソースのセットのチャネル化を定義するキーを備えるＣ５７に記載の装置。
［Ｃ６３］前記キーは、前記ダウンリンク制御ブランキング・メッセージを送信するデバイスのパイロット識別子とシステム時間とに対応するＣ６２に記載の装置。
［Ｃ６４］前記ダウンリンク制御ブランキング・メッセージは、前記１または複数の干渉元デバイスを示すＣ５７に記載の装置。
［Ｃ６５］前記制御ブランキング要求を送る手段は、データ・リソースのセットをブランキングするためのリソース・ブランキング要求を、前記制御ブランキング要求とともに、前記１または複数の干渉元デバイスへ送信することを含むＣ４４に記載の装置。
［Ｃ６６］前記制御ブランキング要求は、ユニキャスト送信、ブロードキャスト送信、またはマルチキャスト送信として送信されるＣ４４に記載の装置。
［Ｃ６７］コンピュータ読取可能媒体を備えるコンピュータ・プログラム製品であって、
前記コンピュータ読取可能媒体は、
少なくとも１つのコンピュータに対して、制御リソースのセットをブランキングすることを求める制御ブランキング要求を、１または複数の干渉元デバイスへ送信させるためのコードと、
前記少なくとも１つのコンピュータに対して、前記制御リソースのセットで別のデバイスと制御情報を通信させるためのコードと
を備えるコンピュータ・プログラム製品。
［Ｃ６８］前記コンピュータ読取可能媒体はさらに、前記少なくとも１つのコンピュータに対して、利用可能なダウンリンク制御リソースから前記制御リソースのセットを選択させるためのコードをさらに備え、
前記制御ブランキング要求を送信することは、前記制御ブランキング要求を備える制御ブランキング・メッセージを、前記１または複数の干渉元デバイスへ送信することを含むＣ６７に記載のコンピュータ・プログラム製品。
［Ｃ６９］前記コンピュータ読取可能媒体はさらに、前記少なくとも１つのコンピュータに対して、ブランキングするためのアップリンク制御リソースのセットを指定する別の制御ブランキング要求を、前記制御リソースのセットで、前記１または複数の干渉元デバイスへ送信させるためのコードを備えるＣ６８に記載のコンピュータ・プログラム製品。
［Ｃ７０］前記制御情報は、ブランキングするためのデータ・リソースのセットを指定するリソース・ブランキング要求を備えるダウンリンク・リソース・ブランキング・メッセージを含むＣ６９に記載のコンピュータ・プログラム製品。
［Ｃ７１］前記コンピュータ読取可能媒体はさらに、前記少なくとも１つのコンピュータに対して、前記データ・リソースのセットで、前記別のデバイスへデータを通信させるためのコードをさらに備えるＣ７０に記載のコンピュータ・プログラム製品。
［Ｃ７２］前記制御情報は、前記別のデバイスのためのダウンリンク・リソース許可を含むＣ６９に記載のコンピュータ・プログラム製品。
［Ｃ７３］前記コンピュータ読取可能媒体はさらに、前記少なくとも１つのコンピュータに対して、ブランキングするためのデータ・リソースのセットを指定するリソース・ブランキング要求を、前記１または複数の干渉元デバイスへ送信させるためのコードを備えるＣ６８に記載のコンピュータ・プログラム製品。
［Ｃ７４］前記コンピュータ読取可能媒体はさらに、前記少なくとも１つのコンピュータに対して、前記データ・リソースのセットで、前記別のデバイスとデータを通信させるためのコードをさらに備えるＣ７３に記載のコンピュータ・プログラム製品。
［Ｃ７５］前記コンピュータ読取可能媒体はさらに、前記少なくとも１つのコンピュータに対して、前記別のデバイスにアップリンク許可を送信させるためのコードを備えるＣ６８に記載のコンピュータ・プログラム製品。
［Ｃ７６］前記制御ブランキング・メッセージはさらに、前記制御リソースのセットのチャネル化に関連するキーを含むＣ６８に記載のコンピュータ・プログラム製品。
［Ｃ７７］前記コンピュータ読取可能媒体はさらに、
前記少なくとも１つのコンピュータに対して、ダウンリンク・リソースに対応する前記制御リソースのセットをブランキングすることを要求するダウンリンク制御ブランキング・メッセージを受信させるためのコードと、
前記少なくとも１つのコンピュータに対して、前記制御リソースのセットに少なくとも部分的に基づいて前記制御ブランキング要求を生成させるためのコードと
を備えるＣ６８に記載のコンピュータ・プログラム製品。
［Ｃ７８］前記コンピュータ読取可能媒体はさらに、前記少なくとも１つのコンピュータに対して、データ・リソースのセットをブランキングすることを要求するダウンリンク・リソース・ブランキング・メッセージを、前記制御リソースのセットで受信させるためのコードをさらに備えるＣ７７に記載のコンピュータ・プログラム製品。
［Ｃ７９］前記コンピュータ読取可能媒体はさらに、
前記少なくとも１つのコンピュータに対して、前記データ・リソースのセットに対するアップリンク・データ・リソース・ブランキング要求を生成させるためのコードと、
前記少なくとも１つのコンピュータに対して、前記アップリンク・データ・リソース・ブランキング要求を、前記１または複数の干渉元デバイスへ送信させるためのコードと
を備えるＣ７８に記載のコンピュータ・プログラム製品。
［Ｃ８０］前記コンピュータ読取可能媒体はさらに、前記少なくとも１つのコンピュータに対して、前記データ・リソースのセットで通信させるためのコードを備えるＣ７９に記載のコンピュータ・プログラム製品。
［Ｃ８１］前記ダウンリンク制御ブランキング・メッセージは、前記１または複数の干渉元デバイスを示すＣ７７に記載のコンピュータ・プログラム製品。
［Ｃ８２］前記コンピュータ読取可能媒体はさらに、
前記少なくとも１つのコンピュータに対して、データ・リソースのセットをブランキングするためのリソース・ブランキング要求を、前記制御ブランキング要求とともに、前記１または複数の干渉元デバイスへ送信させるためのコードと、
前記少なくとも１つのコンピュータに対して、前記データ・リソースのセットで、前記別のデバイスと通信させるためのコードと
を備えるＣ６７に記載のコンピュータ・プログラム製品。
［Ｃ８３］装置であって、
制御リソースのセットをブランキングすることを求める制御ブランキング要求を、１または複数の干渉元デバイスへ送信する制御ブランキング要求構成要素と、
前記制御リソースのセットで、別のデバイスとの間で制御情報の送信または受信を行う制御通信構成要素と
を備える装置。
［Ｃ８４］前記制御ブランキング要求構成要素は、ダウンリンク制御リソースのセットから前記制御リソースのセットを選択し、前記制御ブランキング要求を、制御ブランキング・メッセージで、前記１または複数の干渉元デバイスへ送る制御ブランキング・メッセージ構成要素であるＣ８３に記載の装置。
［Ｃ８５］前記制御ブランキング・メッセージ構成要素は、ブランキングするためのアップリンク制御リソースのセットを指定する別の制御ブランキング要求を、前記１または複数の干渉元デバイスへ送信するＣ８４に記載の装置。
［Ｃ８６］前記制御情報は、ブランキングするためのデータ・リソースのセットを指定するリソース・ブランキング要求を備えるダウンリンク・リソース・ブランキング・メッセージを含むＣ８５に記載の装置。
［Ｃ８７］前記データ・リソースのセットで、前記別のデバイスとの間でデータの送信または受信を行うデータ通信構成要素をさらに備えるＣ８６に記載の装置。
［Ｃ８８］前記制御情報は、前記別のデバイスのためのダウンリンク・リソース許可を含むＣ８５に記載の装置。
［Ｃ８９］ブランキングするためのデータ・リソースのセットを指定するリソース・ブランキング要求を、前記１または複数の干渉元デバイスへ送信するリソース・ブランキング・メッセージ構成要素をさらに備えるＣ８４に記載の装置。
［Ｃ９０］前記データ・リソースのセットで、前記別のデバイスとデータを送信または受信するデータ通信構成要素をさらに備えるＣ８９に記載の装置。
［Ｃ９１］前記制御情報は、前記別のデバイスのためのアップリンク・リソース許可を含むＣ８４に記載の装置。
［Ｃ９２］前記制御ブランキング・メッセージはさらに、ホッピング・パターンのような制御リソースのセットのチャネル化に関連するキーを含むＣ８４に記載の装置。
［Ｃ９３］ダウンリンク・リソースに対応する前記制御リソースのセットをブランキングすることを要求するダウンリンク制御ブランキング・メッセージを取得するメッセージ受信構成要素をさらに備え、
前記制御ブランキング要求構成要素は、前記制御リソースのセットに少なくとも部分的に基づいて、前記制御ブランキング要求を生成するＣ８３に記載の装置。
［Ｃ９４］前記メッセージ受信構成要素は、データ・リソースのセットのブランキングを要求するダウンリンク・リソース・ブランキング・メッセージを、前記制御リソースのセットで受信するＣ９３に記載の装置。
［Ｃ９５］前記データ・リソースのセットのためのアップリンク・データ・リソース・ブランキング要求を生成し、前記アップリンク・データ・リソース・ブランキング要求を、前記１または複数の干渉元デバイスへ送信するリソース・ブランキング・メッセージ構成要素をさらに備えるＣ９４に記載の装置。
［Ｃ９６］前記データ・リソースのセットでデータを送信または受信するデータ通信構成要素をさらに備えるＣ９５に記載の装置。
［Ｃ９７］前記ダウンリンク制御ブランキング・メッセージは、前記１または複数の干渉元デバイスを示すＣ９３に記載の装置。
［Ｃ９８］前記制御ブランキング要求構成要素は、データ・リソースのセットをブランキングするためのリソース・ブランキング要求を、前記制御ブランキング要求とともに、前記１または複数の干渉元デバイスへ送信するＣ８３に記載の装置。
［Ｃ９９］方法であって、
制御リソースのセットをブランキングすることを求めるダウンリンク制御ブランキング要求を受信することと、
アップリンク制御リソースである前記制御リソースのセットのうちの少なくとも一部をローカルにブランキングすること
を備える方法。
［Ｃ１００］データ・リソースのセットをブランキングすることを要求するダウンリンク・リソース・ブランキング・メッセージを受信することをさらに備えるＣ９９に記載の方法。
［Ｃ１０１］前記ダウンリンク制御ブランキング要求は、低再使用制御チャネルで受信されるＣ９９に記載の方法。
［Ｃ１０２］前記ダウンリンク制御ブランキング要求は、前記制御リソースのセットに関連するホッピング・パターンを定義するキーを備えるＣ９９に記載の方法。
［Ｃ１０３］前記キーは、前記ダウンリンク制御ブランキング要求を送信するデバイスのパイロット識別子およびシステム時間に対応するＣ１０２に記載の方法。
［Ｃ１０４］無線通信装置であって、
１または複数の干渉元のデバイスまたはｅＮＢにおいて、１または複数の制御リソースをブランキングすることに関連する制御ブランキング要求を取得し、アップリンク制御リソースである前記１または複数の制御リソースをブランキングするように構成された少なくとも１つのプロセッサと、
前記少なくとも１つのプロセッサに接続されたメモリと
を備える無線通信装置。
［Ｃ１０５］前記少なくとも１つのプロセッサはさらに、前記１または複数の干渉元デバイスまたはｅＮＢによるデータ・リソースのブランキングを要求することに関連するリソース・ブランキング・メッセージを取得するように構成されたＣ１０４に記載の無線通信装置。
［Ｃ１０６］前記少なくとも１つのプロセッサはさらに、前記データ・リソースによって前記制御ブランキング要求を送信するデバイスと通信するように構成されたＣ１０５に記載の無線通信装置。
［Ｃ１０７］装置であって、
ブランキングされるべき制御リソースのセットを示すダウンリンク制御ブランキング要求を受信する手段と、
アップリンク制御リソースである前記制御リソースのセットをローカルにブランキングする手段と
を備える装置。
［Ｃ１０８］前記ダウンリンク制御ブランキング要求を受信する手段はさらに、ブランキングされるべきデータ・リソースのセットを示すリソース・ブランキング・メッセージを、前記制御リソースのセットによって受信するＣ１０７に記載の装置。
［Ｃ１０９］前記ダウンリンク制御ブランキング要求を受信する手段はさらに、低再使用専用制御チャネルによって前記ダウンリンク制御ブランキング要求を受信するＣ１０７に記載の装置。
［Ｃ１１０］コンピュータ読取可能媒体を備えるコンピュータ・プログラム製品であって、
前記コンピュータ読取可能媒体は、
少なくとも１つのコンピュータに対して、制御リソースのセットをブランキングすることを指定するダウンリンク制御ブランキング要求を受信させるためのコードと、
前記少なくとも１つのコンピュータに対して、アップリンク制御リソースである前記制御リソースのセットのうちの少なくとも一部をローカルにブランキングさせるためのコードと
を備えるコンピュータ・プログラム製品。
［Ｃ１１１］前記コンピュータ読取可能媒体はさらに、前記少なくとも１つのコンピュータに対して、データ・リソースのセットをブランキングすることを要求するダウンリンク・リソース・ブランキング・メッセージを受信させるためのコードを備えるＣ１１０に記載のコンピュータ・プログラム製品。
［Ｃ１１２］前記ダウンリンク制御ブランキング要求は、低再使用制御チャネルで受信されるＣ１１０に記載のコンピュータ・プログラム製品。
［Ｃ１１３］前記ダウンリンク制御ブランキング要求は、前記制御リソースのセットに関連するホッピング・パターンを定義するキーを備えるＣ１１０に記載のコンピュータ・プログラム製品。
［Ｃ１１４］前記キーは、前記ダウンリンク制御ブランキング要求を送信するデバイスのパイロット識別子およびシステム時間に対応するＣ１１３に記載のコンピュータ・プログラム製品。
［Ｃ１１５］装置であって、
ブランキングされるべき制御リソースのセットを示すダウンリンク制御ブランキング要求を取得するメッセージ受信構成要素と、
アップリンク制御リソースである前記制御リソースのセットをローカルにブランキングする制御ブランキング構成要素と
を備える装置。
［Ｃ１１６］前記メッセージ受信構成要素はさらに、ブランキングされるべきデータ・リソースのセットを示すリソース・ブランキング・メッセージを、前記制御リソースのセットによって受信するＣ１１５に記載の装置。
［Ｃ１１７］前記メッセージ受信構成要素はさらに、低再使用専用制御チャネルによって前記ダウンリンク制御ブランキング要求を受信するＣ１１５に記載の装置。
【外国語明細書】
2014096827000001.pdf